(57)【特許請求の範囲】
【請求項１】
外部から視認し得る位置に演出用の可動装置が設けられた遊技機であって、
前記可動装置は、
動作し得るよう可動に構成された第１可動体および第２可動体と、
該第１可動体および第２可動体の両方を動作させるための動力を発生する１の駆動源と、を備え、
該駆動源の駆動範囲内の一部において、前記第１可動体および第２可動体のうちの一方のみへの動力伝達を制限する伝動制限機構を設け、
前記駆動源は、正逆いずれの方向に駆動可能であり、
前記伝動制限機構は、前記駆動源が正逆の一方向へ駆動する場合に、前記第１可動体および第２可動体のそれぞれへ動力を伝達する一方、
前記駆動源が正逆の他方向へ駆動する場合に、前記第１可動体および第２可動体のうちの一方のみへの動力伝達が制限されるように構成され、
前記伝動制限機構は、前記駆動源の動力により所定の円周上を正逆方向に周回し得るカムピンと、
該カムピンが嵌合するカム溝と、
前記カムピンが抵触することなく移動可能であって前記カム溝に連通する非抵触部と、
を備えている
ことを特徴とする遊技機。
【請求項２】
前記遊技機がパチンコ機であることを特徴とする請求項１記載の遊技機。
【発明の詳細な説明】
【技術分野】
【０００１】
本発明は、パチンコ機やスロットマシンに代表される遊技機に関するものである。
【背景技術】
【０００２】
パチンコ機やスロットマシンなどの遊技機には、遊技内容に関連するキャラクタを可動に構成して可動体とし、駆動源であるモータやソレノイドでこのキャラクタを駆動して動作させ、これにより演出効果を高めるようにした可動装置を役物として用いたものがある。
【先行技術文献】
【特許文献】
【０００３】
【特許文献１】特開２００６−３４７２８号公報
【発明の概要】
【発明が解決しようとする課題】
【０００４】
ところで、パチンコ機などの遊技機は、例えば、遊技領域を流下する遊技球が始動口に入球すると内部抽選が行われ、この抽選の結果が当選であった場合に大当り遊技に移行するようになっており、このとき、大当たりとなる期待度が高まっていることを遊技者に示唆する、リーチと称される期待演出がなされる構成となっているのが一般的である。このため、上記可動装置も、遊技状態の移行にあわせて遊技者の期待度が高じるような効果的な演出がなされるように構成されていることが望まれる。
【０００５】
しかしながら、可動装置においては、駆動源であるモータやソレノイドの回転や往復による動力をそのまま可動体に伝達するだけでは動作が単調となりやすいが、可動体の動作にさらに変化を付与しようとすると、それだけ伝動機構を複雑化することが必要となる。
【０００６】
本発明は、かかる問題点に鑑みて案出されたものであり、機構を複雑化することなく、可動装置における可動体の動作に効率的に変化を付与することが可能な遊技機を提供することを目的とする。
【課題を解決するための手段】
【０００７】
本発明にかかる遊技機は、上記目的を達成するために、
外部から視認し得る位置に演出用の可動装置が設けられた遊技機であって、
前記可動装置は、
動作し得るよう可動に構成された第１可動体および第２可動体と、
該第１可動体および第２可動体の両方を動作させるための動力を発生する１の駆動源と、を備え、
該駆動源の駆動範囲内の一部において、前記第１可動体および第２可動体のうちの一方のみへの動力伝達を制限する伝動制限機構を設け、
前記駆動源は、正逆いずれの方向に駆動可能であり、
前記伝動制限機構は、前記駆動源が正逆の一方向へ駆動する場合に、前記第１可動体および第２可動体のそれぞれへ動力を伝達する一方、
前記駆動源が正逆の他方向へ駆動する場合に、前記第１可動体および第２可動体のうちの一方のみへの動力伝達が制限されるように構成され、
前記伝動制限機構は、前記駆動源の動力により所定の円周上を正逆方向に周回し得るカムピンと、
該カムピンが嵌合するカム溝と、
前記カムピンが抵触することなく移動可能であって前記カム溝に連通する非抵触部と、
を備えている
ことを特徴とする。
【０００８】
上記本発明の構成によれば、駆動源から可動体へ動力が伝達されて可動体が動作するが、駆動源の駆動範囲内の一部においては伝動制限機構により動力伝達が制限され、これにともない可動体の動作が制限される。したがって、伝動制限機構を設けるだけの簡単な構成により、駆動源の駆動範囲において、可動体に通常の動作（通常動作）と、この通常動作よりも制限された動作（制限動作）との両方を行わせることができ、これにより可動体の動作に効率的に変化を付与することができる。
【発明の効果】
【０００９】
本発明によれば、上述の通り、伝動制限機構を設けるだけで、これ以上は特に機構を複雑化することもなく、可動装置における可動体の動作に効率的に変化を付与することが可能となる。
【図面の簡単な説明】
【００１０】
【図１】パチンコ機の一例を示す正面図。
【図２】図１のパチンコ機の正面側の斜視図。
【図３】図１のパチンコ機の前面枠の斜視図。
【図４】遊技盤の一例を示す正面図。
【図５】主表示ユニットの斜視図。
【図６】図１のパチンコ機の背面の構成を示す分解斜視図。
【図７】図４の遊技盤の背面側の斜視図。
【図８】図４の遊技盤の背面図。
【図９】パチンコ機の電気的構成の一例を示すブロック図。
【図１０】カメ役物ユニット（可動装置）の正面図。
【図１１】第１可動体および第２可動体の前側からみた分解斜視図。
【図１２】第１可動体および第２可動体の後側からみた分解斜視図。
【図１３】駆動機構の配置を示す正面図。
【図１４】第３可動体およびその駆動機構の正面図。
【図１５】第１可動体および第２可動体の動作状況を示す正面図。
【図１６】液晶取付枠部材の正面図。
【図１７】第２伝達部材の他の例およびその動作状況を示す正面図。
【図１８】可動装置の他の例を示す正面図。
【図１９】可動装置の他の例を示す正面図。
【図２０】第２伝達部材の他の例を前側からみた分解斜視図。
【図２１】第２伝達部材の他の例を後側からみた分解斜視図。
【図２２】図２０の第２伝達部材の使用状況を示す正面図。
【発明を実施するための形態】
【００１１】
以下、本発明の最良の形態を、図面に基づいて詳細に説明する。ここでは、遊技機としてパチンコ遊技機（以下、単に「パチンコ機」という）を挙げる。
【００１２】
（パチンコ機正面側の構成）
図１はパチンコ機１０の正面図、図２はパチンコ機１０の斜視図、図３はパチンコ機１０の前面枠の斜視図である。図１および図２に示すように、パチンコ機１０は、当該パチンコ機１０の外殻を形成する外枠１１と、この外枠１１の一側部に開閉可能に支持された内枠１２とを備えている。以下に、外枠１１と内枠１２との構成を個別に説明する。
【００１３】
上記外枠１１は、木製の板材により全体として矩形状に構成され、小ネジ等の離脱可能な締結具により各板材が組み付けられている。なお、外枠１１は樹脂やアルミニウム等の軽金属により構成されていてもよい。このように構成することにより、パチンコ機の軽量化を図ることができるからである。
【００１４】
一方、上記内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。このような構成とするのは、内枠１２の開閉軸線がハンドル設置箇所側（図１のパチンコ機１０の右側）で上下方向にあるとすると、内枠１２を開放する際に遊技球発射ハンドル１８の頭部等が隣なりのパチンコ機やカードユニット（球貸しユニット）に干渉することになり、内枠１２を十分に開放できないからである。また、内枠１２は合成樹脂、具体的にはＡＢＳアクリロニトリル−ブタジエン−スチレン）樹脂から成る。こうすることで、粘性が高く衝撃に強くでき、低コストで製造できるという利点が発揮される。
【００１５】
また、内枠１２は、その最下部に下皿ユニット１３を有し、内枠１２の左側の上下方向の開閉軸線を軸心にして開閉自在に取り付けられた前面枠セット１４と、樹脂ベース２５（図６参照）と、この樹脂ベース２５の後側に取り付けられる後述の遊技盤３０とを備えている。これらの各構成を以下に詳細に説明する。
【００１６】
上記下皿ユニット１３は、前面枠セット１４の一部として前面枠ベース部材に固定されている。この下皿ユニット１３の前面側には、下皿１５と球抜きレバー１７と遊技球発射ハンドル１８と演出ボタン７９が設けられている。球受皿としての下皿１５は、下皿ユニット１３のほぼ中央部に設けられており、後述の上皿が満タンになった場合等に排出口１６より排出される遊技球を停留する役割がある。上記球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。上記遊技球発射ハンドル１８は、下皿１５よりも右方で手前側に突出するように配設されている。遊技者による遊技球発射ハンドル１８の操作に応じて、発射ソレノイドを備えた遊技球発射装置によって遊技球が後述する遊技盤３０の方へ打ち込まれるようになっている。前面枠セット１４の上部には、スピーカからの音を出力するための音出力口２４が設けられている。
【００１７】
一方、前面枠セット１４の下部（上述の下皿１５の上方位置）には、遊技球の受皿としての上皿１９が前面枠セット１４と一体的に設けられている。この上皿１９は、遊技球を一旦貯留し、一列に整列させながら遊技球発射装置３８の方へ導出するための球受皿である。また、上皿１９の左下方には、装飾図柄表示装置４２の背景を変える等の操作を遊技者が行なうための演出ボタン７９が設けられている。
【００１８】
加えて、前面枠セット１４にはその周囲（例えばコーナー部分）に各種ランプ等の発光手段が設けられている。これら発光手段は、大当たり遊技状態時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、大当たり遊技状態時に点灯や点滅を行うことにより、大当たり遊技状態中であることを報知する構成である。
【００１９】
また、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。度数表示部はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００２０】
次に、図４を用いて遊技盤３０の構成を説明する。図４は遊技盤３０の構成を示す正面図である。遊技盤３０は、一般入賞口を備える一般入賞装置３１、可変入賞装置３２、上始動口３３ａと下始動口３３ｂ（作動チャッカ３３ｂで構成）とから成る第１の始動入賞装置３３、第２の始動口を備える第２の始動入賞装置３４（スルーゲートで構成）、主表示ユニット３７１、装飾図柄表示装置４２を備える可変表示装置ユニット３５等が設けられている。これらの一般入賞装置３１、可変入賞装置３２、第１の始動入賞装置３３、第２の始動入賞装置３４、可変表示装置ユニット３５等は、遊技盤３０における、ルータ加工によって形成された各貫通穴にそれぞれに配設され、遊技盤３０前面側から木ネジ等により取り付けられている。また、下始動口３３ｂの入口には、一対の開閉羽根６０が設けられており、遊技球を案内する開放位置と、下始動口３３ｂ内に遊技球が入りにくくなる閉塞位置を採りうる。開閉羽根６０は、遊技盤３０の裏面側に配設されたソレノイドＳＬ１によって駆動される。また、下始動口３３ｂの下方には、大入賞口（収容部の入口）６１が配置されている。大入賞口６１については、後に言及する。大入賞口６１内には、入球検出スイッチＳＷ１が設けられている。
【００２１】
前述の一般入賞装置３１、可変入賞装置３２および第１の始動入賞装置３３に遊技球が入球し、当該入球が後述する検出スイッチ（入賞口スイッチ、カウントスイッチ、作動口スイッチ等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、各種部材（役物）が配設されている。
【００２２】
主表示ユニット３７１は、図４に示すように、右上の隅部が直角でその対辺が左上から右下へ延びる斜辺となっている、やや上下に長い概略直角三角形の各隅部（角部）が丸く角落ちするとともに、斜辺が遊技領域の右上部に沿って弧状に内側へ湾曲する正面形状を有し、図５に示すように前後にやや厚みを有する立体状の外形を有する部品となっている。主表示ユニット３７１における右上の背面側にはネジ挿通孔を有するフランジ３７１Ｆが形成され、右下の隅部には、前面側から後面壁まで凹入し該後面壁にネジ挿通孔（図示せず）を有する正面視概略Ｕ字状のネジ挿通部３７１Ｎが形成され、図４に示すように、フランジ３７１Ｆおよびネジ挿通部３７１Ｎにネジが螺入されて主表示ユニット３７１が遊技盤３０の前面における右上部に固定されている。主表示ユニット３７１における左上の上面部は左下方へやや下傾するように形成され、その中央部は、図４に示すように、遊技球の最大飛翔部分に対応する外レール５２の先端部に近接し、この部位の上に、図５に示すようにゴム板よりなる返しゴム３７１Ｒが取り付けられている。この返しゴム３７１Ｒにより、所定以上の勢いで発射された遊技球が当たって跳ね返されるようになっている。主表示ユニット３７１の前面部には、左上端近傍からネジ挿通部３７１Ｎに隣接するまで斜辺に沿って弧状に延びる正面形状を有して内奥側へ段状に凹入する表示部３７１Ｍが形成されている。
【００２３】
上記表示部３７１Ｍには、５個の表示装置３７１Ａ、３７１Ｂ、３７１Ｃ、３７１Ｄ、３７１Ｅが上から弧状に並ぶようにして順に配置されている。上から１番目の表示装置３７１Ａは、左右２個のＬＥＤで構成され、一方のみあるいは両方を点灯することにより３通りに点灯表示し、これにより大当たりとなる確率が低確率、中確率および高確率のいずれであるかを表示するようになっている。上から２番目の表示装置３７１Ｂは、数個（７ないし９個）のＬＥＤのセグメントから構成され、特別図柄の種類を表示するようになっている。この上から２番目の表示装置３７１Ｂの表示内容は、装飾図柄表示装置４２によっても表示される。上から３番目の表示装置３７１Ｃは、左右２個のＬＥＤで構成され、これらの点灯状態に点滅状態を加えて組み合わせることにより、特別図柄に関する保留球の個数を表示するようになっている。なお、センターフレーム４３の下部には、装飾図柄表示装置４２の下辺に沿って配列された４個のランプよりなる保留ランプ８００ａが配置されており（図４参照）、この保留ランプ８００ａによっても上記特別図柄に関する保留球の個数が表示されるようになっている。上から４番目の表示装置３７１Ｄは、同じく数個のＬＥＤのセグメントから構成され、当りのラウンド数を表示するようになっている。上から５番目の表示装置３７１Ｅは、左列６個、右列３個の計９点のＬＥＤで構成され、このうち左上３個のＬＥＤが、青または赤に点灯して当り外れを表示する普通図柄表示装置となっており、右３個および左下３個のＬＥＤが、点灯状態と点滅状態との組み合わせにより、普通図柄に関する保留球の個数を表示するようになっている。
【００２４】
上記装飾図柄表示装置４２は液晶表示装置として構成されており、後述する表示制御装置により表示内容が制御される。装飾図柄表示装置４２には、例えば上、中、及び下の３箇所に識別情報としての図柄が表示される。これら図柄がスクロールされて装飾図柄表示装置４２に可変表示されるようになっている。なお本形態では、装飾図柄表示装置４２（液晶表示装置）は例えば１０インチ或いは１２インチサイズの大型の液晶ディスプレイを備えている。
【００２５】
上記可変入賞装置３２は、通常は遊技球が入賞できない又は入賞し難い閉状態になっており、大当たりの際に遊技球が入賞しやすい開状態と通常の閉状態とに繰り返し作動されるようになっているが、その具体的な構成については後述する。簡略に触れれば、特別図柄表示装置が特定の表示態様となった場合（装飾図柄表示装置４２の停止後の確定図柄が予め設定した特定の図柄の組み合せとなった場合）に特別遊技状態が発生する。そして、可変入賞装置３２が受球状態となり、遊技球の入賞を許す。具体的には、所定時間（例えば３０秒）の経過又は所定個数（例えば１０個）の入賞を１ラウンドとして、可変入賞装置３２の受球状態が所定回数繰り返し開放される。遊技球が第１の始動入賞装置３３を通過した回数は最大４回まで保留され、その保留回数が保留ランプ８００ａにて点灯表示されるようになっている。なお、保留ランプ８００ａは、装飾図柄表示装置４２の一部で変動表示される構成等であっても良い。
【００２６】
また、遊技盤３０には、遊技球発射装置から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす金属板にて構成されており、内外二重に一体形成された内レール５１と外レール５２とを有する。内レール５１および外レール５２の後側端縁（遊技盤３０に対向する端縁）には、所定間隔をおいて複数個所に鋲５６が設けられており、内レール５１および外レール５２は該鋲５６を打ちつけるようにして遊技盤３０に取り付けられている。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００２７】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。
【００２８】
尚、遊技領域は、レールユニット５０の内周部（内外レール）により略円形状に区画形成されており、特に本形態では、遊技盤３０の盤面上に区画される遊技領城が従来よりもはるかに大きく構成されている。
【００２９】
（パチンコ機の背面構成）
次に、パチンコ機１０の背面の構成を説明する。図６はパチンコ機１０の背面の構成を示す分解斜視図である。
【００３０】
先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の裏カバー（保護カバー）等が取り付けられている。本形態では、各種制御基板を３つの取付台に分けて搭載して３つの制御基板ユニットを構成し、それら制御基板ユニットを個別に内枠１２または遊技盤３０の裏面に装着するようにしている。この場合、主制御基板、電源監視基板、これら基板を収容する基板ボックスおよび該基板ボックスを封印する封印ユニットから構成される主制御装置２６１を一つにユニット化し、表示制御基板、該表示制御基板を収容する基板ボックスおよび装飾図柄表示装置４２から構成される表示制御装置４５とサブ制御基板および該サブ制御基板を収容する基板ボックスから構成されるサブ制御装置２６２とを後述する外包部材８２に搭載してユニット化し、さらに払出制御基板、該払出制御基板を収容する基板ボックス（払出制御基板ケース）および該基板ボックスを封印する封印ユニットから構成される払出制御装置３１１と電源基板、発射制御基板およびこれら基板を収容する基板ボックス（電源・発射制御基板ケース２０３Ａ）から構成される電源・発射制御装置とを１つの取付台に搭載してユニット化している。ここでは便宜上、各ユニットを上記の順に「第１制御基板ユニット２０１」、「第２制御基板ユニット２０２」および「第３制御基板ユニット２０３」と称することとする。
【００３１】
また、払出機構および裏カバー（保護カバー）も上記第３制御基板ユニット２０３に一体化されており、一般に樹脂部分を裏パックと称することもあるため、ここでは第３制御基板ユニット２０３を「裏パックユニット２０３」とも称する。各ユニット２０１〜２０３の詳細な構成については後述する。
【００３２】
第１制御基板ユニット２０１は、後述するように、取り外す場合には工具で封止状態を解除する必要があるが取付はネジ等の締結具も工具も何ら要することなく行い得るよう構成されており、第２制御基板ユニット２０２および裏パックユニット２０３は、ユニット単位で何ら工具等を用いずに着脱できるよう構成されている。更に、これに加え、各ユニット２０１〜２０３は、一部に支軸部を設けて内枠１２または遊技盤３０の裏面に対して開閉できる構成となっている。これは、各ユニット２０１〜２０３やその他構成が前後に重ねて配置されても、隠れた構成等を容易に確認することを可能とするための工夫でもある。
【００３３】
上述した第１制御基板ユニット２０１は、その遊技の進行を統括する主制御基板及び電源の監視を司る電源監視基板を有する。上記主制御基板と電源監視基板とは透明樹脂材料等よりなる基板ボックスに収容されて構成されている。この基板ボックスは、略直方体形状のボックスベースと該ボックスベースの開口部を覆うボックスカバーとを備えており、これらボックスベースとボックスカバーとは封印ユニットによって開封不能に連結されることにより、基板ボックスが封印される。
【００３４】
尚、封印ユニットはボックスベースとボックスカバーとを開封不能に連結する構成であれば任意の構成が適用でき、また、封印ユニットによる封印処理は、その封印後の不正な開封を防止し、また万一不正開封が行われてもそのような事態を早期にかつ容易に発見可能とするものである。
【００３５】
第２制御基板ユニット２０２は、主制御基板からの指示に従い前記装飾図柄表示装置４２の表示制御を司る表示制御装置４５と主制御基板からの指示に従い音声ランプ制御を司るサブ制御基板とを有する。上記表示制御装置４５は、装飾図柄表示装置４２および表示制御基板がユニットとして構成され、透明樹脂材料等よりなる基板ボックスに収容されて後述する外包部材８２の背面側に取り付けられている。上記サブ制御基板は透明樹脂材料等よりなる基板ボックスに収容され、上記表示制御装置４５の背面側に取り付けられている。
【００３６】
次に、前記第３制御基板ユニット（裏パックユニット）２０３は、払出制御基板、電源基板、発射制御基板及びカードユニット接続基板を有している。上記払出制御基板により賞品球や貸出球の払出が制御され、上記電源基板および発射制御基板により各種制御装置等で要する所定の電源電圧が生成され出力されるとともに遊技者による遊技球発射ハンドル１８の操作に従い発射ソレノイドの制御が行われる。また、上記カードユニット接続基板は、パチンコ機前面の貸球操作部１２０（図１参照）および図示しないカードユニットに電気的に接続され、遊技者による球貸し操作の指令を取り込んでそれを払出制御基板に出力するものである。なお、カードユニットを介さずに球貸し装置等から上皿に遊技球が直接貸し出される現金機では、カードユニット接続基板は不要である。
【００３７】
上記払出制御基板は、透明樹脂材料等よりなる払出制御基板ケース（図示せず）内に収納されており、上記電源基板および発射制御基板は、透明樹脂材料等よりなる電源・発射制御基板ケース２０３Ａ内に収納されている。また、上記カードユニット接続基板は透明樹脂材料等よりなるカードユニット接続基板ケース（図示せず）内に収納されている。特に、払出制御基板では、前述した主制御基板と同様、基板ケース（被包手段）を構成するボックスベースとボックスカバーとが封印ユニット（封印手段）によって開封不能に連結されることにより、基板ボックスが封印される。
【００３８】
上記払出制御基板は状態復帰スイッチと電気的に接続されており、例えば、払出モータ部の球詰まり等、払出エラーの発生時において状態復帰スイッチが押下されると、払出モータがゆっくりと正回転され、球詰まりの解消（正常状態への復帰）が図られるようになっている。
【００３９】
裏パックユニット２０３は、樹脂成形された裏パック３５１と遊技球の払出機構部３５２とを一体化したものである。
【００４０】
裏パック３５１は例えばＡＢＳ樹脂により成型されており、略平坦状のベース部３５３と、パチンコ機後方に突出し横長の略直方体形状をなす裏カバー部（保護カバー部）３５４とを有する。裏カバー部３５４は左右側面および上面が閉鎖されかつ下面のみが開放された形状をなし、少なくとも電動役物ユニット（センター役物）を囲むのに十分な大きさを有する（但し本形態では、前述のサブ制御基板も合わせて囲む構成となっている）。裏カバー部３５４の背面には多数の通気孔が設けられている。この通気孔は各々が長孔状をなし、それぞれの通気孔が比較的近い位置で隣り合うよう設けられている。従って、隣り合う通気孔間にある樹脂部分を切断することにより、裏パック３５１の背面を容易に開口させることができる。つまり、通気孔間の樹脂部分を切断してその内部の表示制御装置等を露出させることで、所定の検定等を容易に実施することができる。
【００４１】
また、ベース部３５３には、裏カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は図示しない払出通路等を通じて前記上皿１９に供給される。
【００４２】
タンクレール３５６と、当該タンクレール３５６に振動を付加するためのバイブレータ３５９とが一体化するようにユニット化されており、仮にタンクレール３５６付近で球詰まりが生じた際、バイブレータ３５９が駆動されることで球詰まりが解消されるようになっている。
【００４３】
上記払出機構部３５２には、前記払出制御基板から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチの切替操作により電源ＯＮまたは電源ＯＦＦとされるようになっている。
【００４４】
なお、内枠１２の右上側には、内枠１２が外枠１１に対して開かれたことを検出する内枠開検出スイッチ（図示せず）が設けられており、内枠１２が開かれると、内枠開検出スイッチからホール内（パチンコ店内）用コンピュータヘ出力されるようになっている。また、上記内枠開検出スイッチの左方には、前面枠開検出スイッチ（図示せず）が設けられており、前面枠セット１４が開かれると、前面枠開検出スイッチからホール内（パチンコ店内）用コンピュータヘ出力されるようになっている。
【００４５】
（パチンコ機の電気的構成及び各種制御処理）
次に、図９を参照して、本パチンコ機１０の電気的構成について説明する。パチンコ機１０は、電源装置３１３と、電源監視装置５４０と、主制御装置２６１と、サブ制御装置２６２と、払出制御装置３１１と、表示制御装置４５等を備えている。以下に、これらの装置を個別に詳細に説明する。尚、電源監視装置５４０と主制御装置２６１とは、上記したように封印ユニットで封印されている。
【００４６】
次いで、主制御装置２６１の構成について説明する。主制御装置２６１には、演算装置である１チップマイコンとしてのＭＰＵ５０１が搭載されている。ＭＰＵ５０１には、該ＭＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、そのほか、割込回路やタイマ回路、データ送受信回路などの各種回路が内蔵されている。
【００４７】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのエリアが備えられている。
【００４８】
なお、ＭＰＵ５０１のＮＭＩ端子（ノンマスカブル割込端子）には、停電等の発生による電源遮断時に、停電監視回路５４２からの停電信号ＳＧ１が入力されるように構成されており、その停電信号ＳＧ１がＭＰＵ５０１へ入力されると、停電時処理としてのＮＭＩ割込処理が即座に実行される。
【００４９】
主制御装置２６１のＭＰＵ５０１には、アドレスバス及びデータバスで構成されるバスライン５０４を介して入出力ポート５０５が接続されている。入出力ポート５０５には、電源監視装置５４０内のＲＡＭ消去スイッチ回路５４３、払出制御装置３１１、発射制御装置３１２、サブ制御装置２６２、特別図柄表示装置、普通図柄表示装置、特別図柄保留表示装置８００、普通図柄保留表示装置８０１や、その他図示しないスイッチ群などが接続されている。なお、特別図柄表示装置は上記したように９個のＬＥＤセグメントで構成されており、普通図柄表示装置は上記したように普通図柄用の第１および第２ランプで構成されており、特別図柄保留表示装置８００は上記したように特別図柄に関する保留球の個数を表示する保留ランプ８００ａで構成されており、普通図柄保留表示装置８０１は上記したように普通図柄に関する保留球の個数を表示する保留ランプ８０１ａで構成されている。
【００５０】
払出制御装置３１１は、払出モータ３５８ａにより賞球や貸し球の払出制御を行うものである。演算装置であるＭＰＵ５１１は、そのＭＰＵ５１１により実行される制御プログラムや固定値データ等を記憶したＲＯＭ５１２と、ワークメモリ等として使用されるＲＡＭ５１３とを備えている。
【００５１】
払出制御装置３１１のＲＡＭ５１３は、主制御装置２６１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのエリアが備えられている。
【００５２】
なお、主制御装置２６１のＭＰＵ５０１と同様、ＭＰＵ５１１のＮＭＩ端子にも、停電時の発生による電源遮断時に停電監視回路５４２から停電信号ＳＧ１が入力されるように構成されており、その停電信号ＳＧ１がＭＰＵ５１１へ入力されると、停電時処理としてのＮＭＩ割込処理が即座に実行される。
【００５３】
払出制御装置３１１のＭＰＵ５１１には、アドレスバス及びデータバスで構成されるバスライン５１４を介して入出力ポート５１５が接続されている。入出力ポート５１５には、主制御装置２６１、払出モータ３５８ａがそれぞれ接続されている。
【００５４】
発射制御装置３１２は、発射ソレノイドによる遊技球の発射を許可又は禁止するものであり、発射ソレノイドは、所定条件が整っている場合に駆動が許可される。具体的には、払出制御装置３１１からカードユニットとの接続状態であることを示す接続信号が出力されていること、遊技者が遊技球発射ハンドル１８に触れていることをセンサ信号により検出していること、発射を停止させるための発射停止スイッチが操作されていないことを条件に、発射制御装置３１２は発射許可信号を主制御装置２６１に出力する。発射許可信号を入力した主制御装置２６１は、発射ソレノイド制御信号を発射制御装置３１２に出力する。これにより発射制御装置３１２は発射ソレノイド制御信号に応じて発射ソレノイドを駆動し、その結果、遊技球発射ハンドルの操作量に応じた強さで遊技球が発射される。
【００５５】
サブ制御装置２６２は、主制御装置２６１からのコマンドに基づいて装飾図柄の変動表示に応じた演出用スピーカ８１０等の鳴動制御及び演出用ランプ８１１の点灯（点滅）制御、並びに、主制御装置２６１からのコマンドに基づいて表示制御装置４５へのコマンドを編集して表示制御装置４５に送信する機能を果たすものである。サブ制御装置２６２のＭＰＵ５５０には、そのＭＰＵ５５０により実行される制御プログラムや固定値データ等を記憶したＲＯＭ５５１と、ワークメモリ等として使用されるＲＡＭ５５２とを備えている。ＭＰＵ５５０には、アドレスバス及びデータバスで構成されるバスライン５５３を介して入出力ポート５５４が接続されている。入出力ポート５５４には、スピーカ、ランプ、装飾図柄表示装置４２における変動表示中において所定の表示演出を実行させるための演出用ボタン７９、及び主制御装置２６１がそれぞれ接続されている。演出用ボタン７９としては、例えば所定のキャラクタが順次出現する態様によって大当たり状態の可能性が大きいことを予告するステップアップ予告等の表示演出用ボタン等が挙げられる。なお、演出用ボタン７９が押されると、所定の演出実行のための演出指定コマンドが生成されて、装飾図柄表示装置４２に送信されようになっている。
【００５６】
表示制御装置４５は、装飾図柄表示装置４２における装飾図柄の変動表示を制御するものである。表示制御装置４５は、ワークＲＡＭ等として使用されるＲＡＭ５２３を有するＭＰＵ５２１と、ＲＯＭ（プログラムＲＯＭ）５２２と、ビデオＲＡＭ５２４と、キャラクタＲＯＭ５２５と、画像コントローラ５２６と、入力ポート５２７と、出力ポート５２９とを備えている。
【００５７】
ＭＰＵ５２１は、サブ制御装置２６２から送信されてくる図柄表示コマンド（停止図柄コマンド、変動パターンコマンド、確定コマンド等）を入力ポート５２７を介して受信するとともに、受信コマンドを解析し、又は受信コマンドに基づき所定の演算処理を行って画像コントローラ５２６の制御（具体的には画像コントローラ５２６に対する内部コマンドの生成）を実施する。プログラムＲＯＭ５２２は、ＭＰＵ５２１により実行される各種の制御プログラムや固定値を記憶するためのメモリであり、背景画像用のＪＰＥＧ形式画像データも併せて記憶保持されている。ＲＡＭ５２３は、ＭＰＵ５２１による各種プログラムの実行時に使用されるワークデータやフラグ等を一時的に記憶するためのメモリである。
【００５８】
画像コントローラ５２６は、ＶＤＰ（ビデオディスプレイプロセッサ）で構成されている。ＶＤＰは、装飾図柄表示装置４２に組み込まれたＬＣＤドライバ（液晶駆動回路）を直接操作する一種の描画回路であり、ＩＣチップ化されているため、「描画チップ」とも呼ばれ、その実体は描画処理専用のソフトウェアを内蔵したマイコンチップとでも言うべきものである。画像コントローラ５２６は、ＭＰＵ５２１、ビデオＲＡＭ５２４等のそれぞれのタイミングを調整してデータの読み書きに介在するとともに、ビデオＲＡＭ５２４に記憶される表示データを、キャラクタＲＯＭ５２５から所定のタイミングで読み出して、出力ポート５２９を介して装飾図柄表示装置４２に出力して表示させる。
【００５９】
ビデオＲＡＭ５２４は、装飾図柄表示装置４２に表示される表示データを記憶するためのメモリであり、ビデオＲＡＭ５２４の内容を書き換えることにより装飾図柄表示装置４２の表示内容が変更される。キャラクタＲＯＭ５２５は装飾図柄表示装置４２に表示される図柄などのキャラクタデータを記憶するための画像データライブラリとしての役割を担うものである。このキャラクタＲＯＭ５２５には、各種の表示図柄のビットマップ形式画像データ、ビットマップ画像の各ドットでの表現色を決定する際に参照する色パレットテーブル等が保持されている。特に、ビットマップ形式の図柄画像データにはそれぞれ図柄コード（図柄番号）が付与されており、コマンドレベルでは各図柄画像を図柄コードだけで管理可能としている。なお、キャラクタＲＯＭ５２５を複数設け、各キャラクタＲＯＭ５２５に分担して画像データ等を記憶させておくことも可能である。また、プログラムＲＯＭ５２２に記憶した背景画像用のＪＰＥＧ形式画像データをキャラクタＲＯＭ５２５に記憶する構成とすることも可能である。
【００６０】
電源装置３１３は、パチンコ機１０の各部に電源を供給するための電源部５４１を備えている。この電源部５４１は、電源経路を通じて、主制御装置２６１や払出制御装置３１１等に対して各々に必要な動作電圧を供給する。その概要としては、電源部５４１は、外部より供給される交流２４ボルトの電圧を取り込み、各種スイッチやモータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を、電源監視装置５４０、サブ制御装置２６２、払出制御装置３１１、表示制御装置４５等に対して供給する。なお、主制御装置２６１に対しては、電源監視装置５４０を介して動作電圧（１２ボルト及び５ボルトの電圧）が供給される。また、発射制御装置３１２に対しては、主制御装置２６１を介して動作電圧（１２ボルト及び５ボルトの電圧）が供給される。
【００６１】
電源監視装置５４０は、停電等による電源遮断を監視する停電監視回路５４２と、リセット信号を出力するリセット回路５４４と、を備えている。
停電監視回路５４２は、停電等の発生による電源遮断時に、主制御装置２６１のＭＰＵ５０１及び払出制御装置３１１のＭＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２６１及び払出制御装置３１１へ出力する。停電信号ＳＧ１の出力によって、主制御装置２６１及び払出制御装置３１１は、停電の発生を認識し、ＮＭＩ割込処理を実行する。なお、電源部５４１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置２６１及び払出制御装置３１１は、ＮＭＩ割込処理を正常に実行し完了することができる。
【００６２】
ＲＡＭ消去スイッチ回路５４３は、ＲＡＭ消去スイッチが押下された場合に、主制御装置２６１及び払出制御装置３１１へ、バックアップデータをクリアするためのＲＡＭ消去信号ＳＧ２を出力する回路である。なお、払出制御装置３１１への信号の送信は、主制御装置２６１を介して行われる。
主制御装置２６１及び払出制御装置３１１は、パチンコ機１０の電源投入時に、ＲＡＭ消去信号ＳＧ２を入力した場合に、それぞれのバックアップデータをクリアする。
【００６３】
リセット回路５４４は、主制御装置２６１、払出制御装置３１１、サブ制御装置２６２、及び表示制御装置４５を初期化するため、リセット信号を出力する回路である。なお、リセット回路５４４からのリセット信号は、主制御装置２６１に対しては直接与えられるが、払出制御装置３１１、サブ制御装置２６２、及び表示制御装置４５に対しては、電源装置３１３を介して与えられるようになっている。
【００６４】
ここで、特別図柄表示装置、普通図柄表示装置、及び装飾図柄表示装置４２の表示内容について説明する。なお、本実施形態のパチンコ機１０においては、大当たりの発生を遊技者に示すための図柄として特別図柄表示装置で表示される特別図柄と、装飾図柄表示装置４２で表示される装飾図柄との２種類が設けられている。装飾図柄は、特別図柄と同期して変動が行われる図柄であり、特別図柄の変動開始と同時に（又はほぼ同時期に）変動を開始し、また特別図柄の変動停止と同時に（またはほぼ同時期に）変動を停止するものである。この装飾図柄は、遊技者に多種多様な表示演出を行って飽きにくい遊技性を備えるために設けられている。
【００６５】
先ず、特別図柄表示装置の表示内容について説明する。特別図柄の変動表示は、９個のＬＥＤセグメントの点灯パターンの変化により表現される。この特別図柄の変動表示は遊技球の始動入賞装置３３への入賞に基づいて開始され、一定時間後に特別図柄の変動表示が同時に停止する。その停止後に、大当たりを示す点灯パターンあるいは外れを示す点灯パターンが表示され、外れの場合は、始動入賞装置３３への入賞に基づいて再度の変動表示が行われる。遊技球が始動入賞装置３３に入賞した回数は最大４回まで保留され、その保留回数が特別図柄保留表示装置８００の保留ランプ８００ａにて点灯表示されるようになっている。
【００６６】
次いで、装飾図柄表示装置４２の表示内容について説明する。装飾図柄表示装置４２の表示画面には、例えば、上段・中段・下段に区分けされた３つの表示領域に３つの装飾図柄列Ｚ１〜Ｚ３が表示される。これら装飾図柄列Ｚ１〜Ｚ３は、右から左にスクロール表示される。装飾図柄は、例えば「１」〜「９」の数字からなる主図柄と、主図柄より小さい副図柄とにより構成され、これら各主図柄および副図柄によって装飾図柄の図柄列が形成される。装飾図柄で形成される各図柄列では、数字の昇順又は降順に主図柄が配列されると共に各主図柄の間にそれぞれ副図柄が配列されている。始動入賞装置３３への入賞すなわち始動入賞が発生すると、装飾図柄の変動表示が行われ、変動パターンに応じた一定時間の経過後に変動表示が停止し、装飾図柄表示装置４２には縦３×横３の９個の装飾図柄が表示結果として表示される。大当たり抽選に当選した変動表示においては、９個の装飾図柄のうち垂直あるいは斜めの一直線上に同一の主図柄が３つ揃って停止するように表示制御装置４５により制御が行われ、遊技者に大当たりの発生が示される。一方、大当たり抽選に外れた変動表示においては、９個の装飾図柄のうち垂直あるいは斜めのいずれにも同一の主図柄が３つ揃って停止しないように表示制御装置４５により制御が行われ、遊技者に外れの発生が示される。
【００６７】
次いで、普通図柄表示装置の表示内容について説明する。普通図柄の変動表示は、第１ランプ（外観が○形状）と、第２ランプ（外観が×形状）とが交互に点灯することにより表現される。この普通図柄の変動表示は遊技球が第２の始動入賞装置３４を通過することを条件として開始され、一定時間後に普通図柄の変動表示が停止する。そして、第１ランプで停止した場合に第１の始動入賞装置３３が所定時間だけ作動状態となる（開放される）よう構成されている。遊技球が第２の始動入賞装置３４を通過した回数は最大４回まで保留され、その保留回数が普通図柄保留表示装置８０１の保留ランプ８０１ａにて点灯表示されるようになっている。
【００６８】
次に、上記の如く構成されたパチンコ機１０の動作について説明する。本形態では、主制御装置２６１内のＭＰＵ５０１は、遊技に際し各種カウンタ情報を用いて、大当たり抽選や特別図柄表示装置の図柄表示の設定などを行うこととしている。具体的には、特別図柄に関連するカウンタ群と、普通図柄に関連するカウンタ群とを備えている。先ず、特別図柄に関連するカウンタ群について説明する。特別図柄に関連するカウンタ群としては、大当たりの抽選に使用する大当たり乱数カウンタＣ１と、特別図柄表示装置の大当たり図柄の選択に使用する大当たり図柄カウンタＣ２と、特別図柄表示装置が外れ変動する際の停止パターンの選択（装飾図柄の変動においてはリーチとするか完全外れとするかのリーチ抽選に相当する）に使用する停止パターン選択カウンタＣ３と、大当たり乱数カウンタＣ１の初期値設定に使用する初期値乱数カウンタＣＩＮＩ１と、変動パターン選択に使用する種別を決定する変動種別カウンタＣＳ１〜ＣＳ３とを備えている。
【００６９】
ここで、変動パターンとは、変動表示の特徴が共通するものを区分した場合における各パターン（形態）を意味している。
【００７０】
上記カウンタＣ１〜Ｃ３，ＣＩＮＩ１，ＣＳ１〜ＣＳ３、は、その更新の都度前回値に１が加算され、最大値に達した後０に戻るループカウンタとなっている。各カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７００が設けられており、これらの各エリアには、始動入賞装置３３への遊技球の入賞タイミングに合わせて、大当たり乱数カウンタＣ１、大当たり図柄カウンタＣ２及び停止パターン選択カウンタＣ３の各値がそれぞれ格納される。
【００７１】
次いで、各カウンタの具体的な内容について詳述する。
大当たり乱数カウンタＣ１は、例えば０〜７３８の範囲内で順に１ずつ加算され、最大値（つまり７３８）に達した後０に戻る構成となっている。特に大当たり乱数カウンタＣ１が１周した場合、その時点の乱数初期値カウンタＣＩＮＩ１の値が当該大当たり乱数カウンタＣ１の初期値として読み込まれる。なお、乱数初期値カウンタＣＩＮＩ１は、大当たり乱数カウンタＣ１と同一範囲で更新されるループカウンタとして構成され（値＝０〜７３８）、タイマ割込毎に１回更新されると共に通常処理の残余時間内で繰り返し更新される。大当たり乱数カウンタＣ１は定期的に（本形態ではタイマ割込毎に１回）更新され、遊技球が始動入賞装置３３に入賞したタイミングでＲＡＭ５０３の保留球格納エリア７００に格納される。大当たりとなる乱数の値の数は、低確率時と高確率時とで２種類設定されており、低確率時に大当たりとなる乱数の値の数は２で、その値は「３７３，７２７」であり、高確率時に大当たりとなる乱数の値の数は１４で、その値は「５９，１０９，１６３，２１１，２６３，３１７，３６７，４２１，４７９，５２３，５７７，６３１，６８３，７３３」である。なお、高確率時とは、特別図柄の組み合せが予め定められた確率変動図柄である特定図柄の組み合せによって大当たりになり付加価値としてその後の大当たり確率がアップした状態、いわゆる確変の時をいい、通常時（低確率時）とはそのような確変状態でない場合をいう。
【００７２】
大当たり図柄カウンタＣ２は、大当たりの際、特別図柄表示装置における特別図柄の変動停止時の図柄を決定するものであり、例えば０〜４の範囲内で順に１ずつ加算され、最大値（つまり４）に達した後０に戻る構成となっている。例えば、大当たり図柄カウンタＣ２の値が「０」、「１」の場合の停止図柄は、９個のＬＥＤセグメントが特定の点灯パターンで停止し、この場合の停止図柄の組み合せは非特定図柄（通常の大当たり図柄）を意味する。
【００７３】
大当たり図柄カウンタＣ２の値が「２」、「３」、「４」の場合の停止図柄は、９個のＬＥＤセグメントが上記とは別の特定の点灯パターンで停止し、この場合の停止図柄の組み合せは特定図柄（確率変動図柄）を意味する。
【００７４】
大当たり図柄カウンタＣ２は定期的に（本形態ではタイマ割込毎に１回）更新され、遊技球が始動入賞装置３３に入賞したタイミングでＲＡＭ５０３の保留球格納エリア７００に格納される。
【００７５】
停止パターン選択カウンタＣ３は、例えば０〜２３８の範囲内で順に１ずつ加算され、最大値（つまり２３８）に達した後０に戻る構成となっている。本形態では、特別図柄の変動表示は、９つのＬＥＤセグメントで表現するように構成されているので、特別図柄の場合にはリーチという概念はなく、リーチに相当する停止パターンを停止パターン選択カウンタＣ３によって、決定することとしている。一方、装飾図柄の場合は、３つの装飾図柄が停止するので、リーチが存在する。従って、装飾図柄の場合は、リーチ抽選を、停止パターン選択カウンタＣ３によって決定している。即ち、装飾図柄の場合では、リーチ発生した後に最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチ発生しない「完全外れ」とを抽選することとしている。例えば、停止パターン選択カウンタＣ３＝０〜２０１が完全外れに該当し、停止パターン選択カウンタＣ３＝２０２〜２０８が前後外れリーチに該当し、停止パターン選択カウンタＣ３＝２０９〜２３８が前後外れ以外リーチに該当する。
【００７６】
ここで、リーチとは、装飾図柄表示装置４２の表示画面に表示される装飾図柄が変動表示を開始した後、先に停留する図柄の組み合せが同一図柄（複数の有効ラインがある装飾図柄においてはいずれかの有効ライン上で同一図柄）であって大当たりの条件を満たしており、変動表示が続いている図柄の表示結果如何によっては大当たりとなることを遊技者に示唆して大当たりの図柄の組み合せを遊技者に期待させる表示であり、興趣演出の１種である。興趣演出とは、変動表示の途中で装飾図柄表示装置４２の表示画面にリーチに代表される所定の図柄を現出させたり、スピーカから特定の音声を出力したり、或いは、振動用のモータによって遊技球発射ハンドル１８を振動させる等、通常とは異なる態様を変動表示に伴わせて変動表示後の表示結果が大当たりとなることを遊技者に期待させる演出である。
【００７７】
なお、停止パターン選択カウンタＣ３は定期的に（本形態ではタイマ割込毎に１回）更新され、遊技球が始動入賞装置３３に入賞したタイミングでＲＡＭ５０３の保留球格納エリア７００に格納される。
【００７８】
変動種別カウンタＣＳ１は、例えば０〜１９８の範囲内で順に１ずつ加算され、最大値（つまり１９８）に達した後０に戻る構成となっている。変動種別カウンタＣＳ２は、例えば０〜２４０の範囲内で順に１ずつ加算され、最大値（つまり２４０）に達した後０に戻る構成となっている。変動種別カウンタＣＳ３は、例えば０〜１６２の範囲内で順に１ずつ加算され、最大値（つまり１６２）に達した後０に戻る構成となっている。
変動種別カウンタＣＳ１によって、ノーマルリーチ、スーパーリーチ、スペシャルリーチ、プレミアムリーチ等のリーチの種別のような大まかな図柄変動態様が決定され、変動種別カウンタＣＳ２によって、例えばノーマルリーチＡ、ノーマルリーチＢ等のようにさらに細かな図柄変動態様が決定され、変動種別カウンタＣＳ２によって、例えばすべり停止変動の場合の変動時間の加減算が決定される。従って、これらの変動種別カウンタＣＳ１〜ＣＳ３を組み合わせることで、変動パターンの多種多様性を容易に実現できる。
【００７９】
カウンタＣＳ１〜ＣＳ３は、後述する通常処理が１回実行される毎に１回更新され、当該通常処理内の残余時間内でも繰り返し更新される。そして、特別図柄表示装置による特別図柄及び装飾図柄表示装置４２による装飾図柄の変動開始時における変動パターン決定に際してカウンタＣＳ１〜ＣＳ３のバッファ値が取得される。
【００８０】
次いで、普通図柄に関連するカウンタ群について説明する。普通図柄に関連するカウンタ群としては、当たりの抽選に使用する当たり乱数カウンタＣ４と、当たり乱数カウンタＣ４の初期値設定に使用する初期値乱数カウンタＣＩＮＩ２とを備えている。
【００８１】
上記当たり乱数カウンタＣ４は、その更新の都度前回値に１が加算され、最大値に達した後０に戻るループカウンタとなっている。カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７０１が設けられており、これらの各エリアには、第２の始動入賞装置３４への遊技球の通過に合わせて、当たり乱数カウンタＣ４の値が格納される。
【００８２】
次いで、上記当たり乱数カウンタＣ４，初期値乱数ＣＩＮＩ２の具体的な内容について詳述する。当たり乱数カウンタＣ４は、例えば０〜２５０の範囲内で順に１ずつ加算され、最大値（つまり２５０）に達した後０に戻る構成となっている。そして、当たり乱数カウンタＣ４が１周した場合、その時点の当たり初期値乱数カウンタＣＩＮＩ２の値が当たり乱数カウンタＣ４の初期値として読み込まれる。なお、初期値乱数カウンタＣＩＮＩ２は、当たり乱数カンタＣ４と同一範囲で更新されるループカウンタとして構成され（値＝０〜２５０）、タイマ割込毎に１回更新されると共に通常処理の残余時間内で繰り返し更新される。当たり乱数カウンタＣ４は定期的に（本形態ではタイマ割込毎に１回）更新され、遊技球が第２の始動入賞装置３４を通過したタイミングでＲＡＭ５０３の保留球格納エリア７０１に格納される。当たり乱数カウンタＣ４の当たりとなる乱数の値の数は１４９で、その値は「５〜１５３」である。
【００８３】
なお、各カウンタの大きさや範囲は一例にすぎず任意に変更できる。但し、不規則性を重視すれば、大当たり乱数カウンタＣ１、停止パターン選択カウンタＣ３、当たり乱数カウンタＣ４、変動種別カウンタＣＳ１〜ＣＳ３の大きさは何れも異なる素数とし、いかなる場合にも同期しない数値としておくのが望ましい。
【００８４】
尚、主制御装置２６１内のＭＰＵ５０１により実行される各制御処理の詳細については、ここでは詳細説明を省く。
しかし、要約すれば、上述のように、始動入賞装置３３への入賞により、主制御装置２６１において所定の確率の当否抽選がなされ、当たりに際しては、特別遊技状態に移行するのであり、これに伴って可変入賞装置３２が入賞球の受球状態となるものである。
【００８５】
（可変入賞装置と捕集部）
この実施例においては、上記の可変入賞装置３２は、次のように構成されている。
この可変入賞装置３２の基本構成は、遊技盤３０の横方向に複数の遊技球を通過させることのできる幅を持つ大入賞口６１からの入球を収容部（図示せず）に収容し、該収容部に設けた排出部から検出センサ（図示せず）に至って検出するように構成されている。
【００８６】
そして、前記遊技盤３０の遊技領域に、窓部１０１と遊技盤３０との間の流下空間を流下する遊技球を入球させる始動入賞装置３３（３３ａ及び３３ｂ：図４参照）が設けられ、前記始動入賞装置３３への入球により、主制御装置２６１によって、所定の確率の当否抽選が行われ、該当たり抽選によって遊技状態が特別遊技状態に移行し、該特別遊技状態において、少なくとも１回、前記可変入賞装置３２が、非受球状態から受球状態に切り替わり、前記受球状態において、前記大入賞口６１から収容部に収容された規定数の入賞球を、前記検出センサにより検出することによって規定数の賞球を払い出すように構成してある。
【００８７】
（特徴構成）
上記パチンコ機１０は、図４に示すように、外部から視認し得る位置である可変表示装置ユニット３５の一部に、演出用の可動装置としてカメ役物ユニット６００が設けられた構成となっている。
【００８８】
可変表示装置ユニット３５は、遊技領域の中央部に配置され、遊技領域内の大きな面積を占める大型の役物となっており、電動役物ユニットあるいはセンター役物とも称される。この可変表示装置ユニット３５は、表示部として装飾図柄表示装置４２を中央に備え、該装飾図柄表示装置４２の上辺部、下辺部、左辺部および右辺部をセンターフレーム４３で包囲するようにして構成されている。センターフレーム４３は、装飾図柄表示装置４２が配置される概略横長の長方形状の開口を内側に包含する枠状の部材となっていて、外周にはネジ孔を有するフランジ４３Ｆが設けられており、木ネジ等により遊技盤３０上に前方側から固定されるようになっている。
【００８９】
カメ役物ユニット６００は、図１０および図１３に示すように、平面視概略横長の台形状で、やや奥行を有し、裏面側が開放された中空形状となるように、透明性を有する青色の樹脂で成形された外装部材６０１に、可動体６０４、該可動体６０４を駆動する駆動源である右側モータ６０３Ｒおよび左側モータ６０３Ｌ等を含んで構成される駆動機構等を装備して構成されている。外装部材６０１の前面には、不定形の波紋状に拡がる紋様をなすように装飾用の凹凸が一面に形成され、上面部および両側面部における前後方向中央よりやや後方の位置からは、間隔をおいてネジ挿通孔が穿設された取付フランジ６０１Ｆが外周側へ延出している。外装部材６０１の右側における斜状の側面部の右上方には取付フランジ６０１Ｆが直角の隅部をなすように延出し、その上部には横長のハーネス挿通開口６０１Ｐが穿設され、右下部には、前方へフック状に延出し、その先端との間にわずかに間隔をおいて案内壁が設けられて内側にハーネスを案内し得るように構成されたハーネス拘束部６０１Ｔが一体的に形成されている。
【００９０】
可動体６０４は、第１可動体６０４Ｓ、第２可動体６０４Ｍおよび第３可動体６０４Ｌの３つの可動体より構成され、外装部材６０１の前側に露出して配置されている。
【００９１】
第１可動体６０４Ｓは、図１１および図１２に示すように、基体６０４１ＳとＬＥＤ基板６０４２Ｓと外形体６０４３Ｓとを後方からこの順に組み付けた構成となっている。基体６０４１Ｓは、正面視概略横長の雲形状で外周から前方へ周壁が延出した形状を有する樹脂成形体であり、下端部中央あたりの位置および上端部中央よりやや左寄りの位置にそれぞれ軸挿通孔およびピン挿通孔が形成されている。ＬＥＤ基板６０４２Ｓは、上記基体６０４１Ｓに納まる横長の形状を有し、該基体６０４１Ｓに前方から嵌着、固定される。外形体６０４３Ｓは、カメを縦断した左半分を模した形状となるように全体的に一体に成形され、甲羅の部分は透明性を有する有色（薄紫色）の樹脂よりなるとともに亀甲の模様を模した凹凸が表面に形成され、頭および肢の部分は不透明性を有する有色（黄色）の樹脂よりなるものとなっており、上記ＬＥＤ基板６０４２Ｓが配置された基体６０４１Ｓに前方から嵌着、固定される。上記ＬＥＤ基板６０４２Ｓには外形体６０４３Ｓの甲羅部分に対応してＬＥＤが配置され、該甲羅部分を通して前方へ光が照射され得るとともに、外形体６０４３Ｓの頭部分にも対応してＬＥＤが配置され、外形体６０４３Ｓの頭部分における目の部分は光を透過させ得るように構成されており、該目の部分を通しても前方へ光が照射され得るように構成されている。
【００９２】
第２可動体６０４Ｍは、前記第１可動体６０４Ｓと基本的に同様の構成となっており、それぞれほぼ同様の基体６０４１ＭとＬＥＤ基板６０４２Ｍと外形体６０４３Ｍとを後方からこの順に組み付けた構成となっているが、全体的に前記第１可動体６０４Ｓよりも大型に構成されている点、外形体６０４３Ｍにおける甲羅の部分が同様に透明性を有する有色樹脂よりなるがその色が薄いピンク色となっている点、肢の部分が外形体６０４３Ｍに対して可動に構成されている点といった僅かな相違を有する構成、即ち、前記第１可動体６０４Ｓに対して大部分が同様であるが完全には同一でない、実質的に相似な構成となっている。肢の部分は、前記第１可動体６０４Ｓの場合と同様にカメの前肢を模しているが、外形体６０４３Ｍとは別体の可動肢体６０４４Ｍとして成形され、該可動肢体６０４４Ｍの付け根の部分（左端部）からは後方に回動軸６０４５Ｍが延出して基体６０４１Ｍに回動自在に軸支され、前肢の中央近傍部分からは後方にカムピン６０４６Ｍが延出し、外装部材６０１の前面に穿設されたカム溝６０１Ｇに嵌入されて、後述するように該カム溝６０１Ｇ内を摺動して案内されるようになっている。
【００９３】
第１可動体６０４Ｓは、第１伝達部材６０５Ｓに連動するように連結されている。該第１伝達部材６０５Ｓは、概略上下方向に一直線状に延びるリンクアームとなっており、下端部が、前後方向に延びる第１回動軸６０６Ｓに回動自在に軸支され、下端部よりやや上方からは前方に連結ピン６０５１Ｓが延出して前記第１可動体６０４Ｓにおける基体６０４１Ｓのピン挿通孔に挿通され連結されている。前記第１可動体６０４Ｓにおける基体６０４１Ｓは軸挿通孔で第１回動軸６０６Ｓに回動自在に軸支されており、したがって前記第１可動体６０４Ｓと第１伝達部材６０５Ｓとは共に第１回動軸６０６Ｓを回動中心として一体となって回動し得る構成となっている。第１伝達部材６０５Ｓの上側半部には、図１２に示すように、上端から中央近傍まで直線状に延びるカム溝６０５２Ｓが後側面から陥入するように形成されている。
【００９４】
第２可動体６０４Ｍは、第２伝達部材６０５Ｍに連動するように連結されている。該第２伝達部材６０５Ｍは、前記第１可動体６０４Ｓの第１伝達部材６０５Ｓの場合と同様に、概略上下方向に延びるリンクアームとなっており、下端部が、前後方向に延びる第２回動軸６０６Ｍに回動自在に軸支され、下端部よりやや上方の連結ピン６０５１Ｍで前記第２可動体６０４Ｍにおける基体６０４１Ｍのピン挿通孔に挿通され連結されるとともに、前記第２可動体６０４Ｍと共に第２回動軸６０６Ｍを回動中心として一体となって回動し得る構成となっているが、上端部は右側へ円弧状に湾曲しながら延びており、図１２に示すように、中央近傍から上端まで延びる溝部が後側面から陥入するように形成されていて、この溝部のうち、下側半部の直線状に延びる部分がカム溝６０５２Ｍ、該カム溝６０５２Ｍの上端から、円の１／４をなす部分円（円弧）状に湾曲しながら延びる部分が逃げ溝６０５３Ｍとなっている。
【００９５】
第１可動体６０４Ｓおよび第２可動体６０４Ｍは、右側モータ６０３Ｒの動力が伝達されて駆動されるようになっている。右側モータ６０３Ｒの回転軸には、第１ギア６０７Ｓが固定され、該第１ギア６０７Ｓの外周部には前方へ延出するカムピン６０７１Ｓが設けられて前記第１伝達部材６０５Ｓのカム溝６０５２Ｓに嵌入するようになっている。第１ギア６０７Ｓには該第１ギア６０７Ｓより大径（ギア比２）の第２ギア６０７Ｍが連動するように配置され、該第２ギア６０７Ｍの外周部には前方へ延出するカムピン６０７１Ｍが設けられて前記第２伝達部材６０５Ｍのカム溝６０５２Ｍおよび逃げ溝６０５３Ｍに嵌入するようになっている。第２ギア６０７Ｍの後側における上端よりやや左方の位置ならびに右端よりやや上方の位置には、中央回転位置検知センサ６０８Ｃおよび端部回転位置検知センサ６０８Ｅがそれぞれ配置されている。該中央および端部回転位置検知センサ６０８Ｃ、６０８Ｅはそれぞれ、間隔をおいて平行に延出する２本の角柱状体よりなるゲート部を備え、該ゲート部の両角柱状体における一対の対向面のうち一方に発光素子が、他方に受光素子がそれぞれ配置された構成となっている。第２ギア６０７Ｍの後側面における外周近傍には、上記ゲート部の間を通過し得る遮光片６０７２（図１５参照）が後方に延出しており、該遮光片６０７２が周回する途上で上記ゲート部を通過すると、発光素子からの光が遮られて該遮光片６０７２の通過が検知され、これにより第２ギア６０７Ｍの回転位置が把握されるようになっている。
【００９６】
上記第１伝達部材６０５Ｓ、第２伝達部材６０５Ｍ、右側モータ６０３Ｒ、第１ギア６０７Ｓ、第２ギア６０７Ｍ等は、外装部材６０１の右側半部における内周にほぼ追随する外形を有する板状の右側支持基材（図示せず）に装架され、該右側支持基材は外装部材６０１の右側半部における背面部を蓋状に閉塞するように嵌着固定される。これにより、図１３に示すように、これら各部材が外装部材６０１の右側半部における内部の所定位置に配置される。外装部材６０１の前側壁には、前記第１可動体６０４Ｓに連結される第１回動軸６０６Ｓ、連結ピン６０５１Ｓ、ＬＥＤ基板６０４２Ｓに接続される配線（図示せず）、前記第２可動体６０４Ｍに連結される第２回動軸６０６Ｍ、連結ピン６０５１ＭならびにＬＥＤ基板６０４２Ｍに接続される配線（図示せず）をそれぞれ挿通し得るとともにこれら部材のうち可動のものの移動軌跡を包含する形状の挿通孔が穿設されており（図示せず）、上記各部材を該挿通孔を通して外部へ突出させ、外装部材６０１の前側から第１可動体６０４Ｓおよび第２可動体６０４Ｍをそれぞれ取付固定するようになっている。第１可動体６０４Ｓおよび第２可動体６０４Ｍを取り付けた状態では、上記挿通孔およびこれに挿通された上記各部材が、第１可動体６０４Ｓおよび第２可動体６０４Ｍにより前側からほぼ覆われて隠蔽され、前方からは視認され難いようになっている。こうして、第１可動体６０４Ｓ、第２可動体６０４Ｍおよびこれらの駆動機構を外装部材６０１内外の所定位置に配置することにより、右側モータ６０３Ｒからの動力が伝達されて外装部材６０１の前面で第１可動体６０４Ｓおよび第２可動体６０４Ｍが動作し得る構成が得られる。
【００９７】
なお、上記第１可動体６０４Ｓおよび第２可動体６０４Ｍはそれぞれ第１伝達部材６０５Ｓおよび第２伝達部材６０５Ｍと全く一体となって動作するようになっていることから、第１伝達部材６０５Ｓおよび第２伝達部材６０５Ｍもそれぞれ第１可動体６０４Ｓおよび第２可動体６０４Ｍの一部を構成するものとしてもよいものと考えられる。しかしながら、本発明においては、第１可動体６０４Ｓおよび第２可動体６０４Ｍと第１伝達部材６０５Ｓおよび第２伝達部材６０５Ｍとはそれぞれ別の部材となっており、しかも両者は外装部材６０１の内外に分かれて配置されることからしても、あくまで、第１可動体６０４Ｓおよび第２可動体６０４Ｍは外装部材６０１の外部で動作をするもの、第１伝達部材６０５Ｓおよび第２伝達部材６０５Ｍは右側モータ６０３Ｒの動力を第１可動体６０４Ｓおよび第２可動体６０４Ｍにそれぞれ伝達する媒介の部材であるとしている。
【００９８】
上記第２可動体６０４Ｍの左方には、図１０および図１３に示すように、第３可動体６０４Ｌが配置されている。該第３可動体６０４Ｌは、前記第１可動体６０４Ｓと基本的に同様の構成となっているが、左側モータ６０３Ｌにより単独で駆動されるようになっている、即ち１個の駆動源に対して１つの第３可動体６０４Ｌのみが駆動されるようになっている（したがってこれにともない動力がギアではなく回転板を介して伝達されるようにもなっている）点では大きく異なっており、また、全体的に前記第１可動体６０４Ｓよりも大型に、さらには前記第２可動体６０４Ｍよりも大型に構成されている点、外形体６０４３Ｌにおける甲羅の部分が同様に透明性を有する有色樹脂よりなるがその色が緑色となっている点、頭および肢の部分が外形体６０４３Ｌに対して可動に構成されている点といった僅かな相違を有する構成、即ち、前記第１可動体６０４Ｓ（ないし前記第２可動体６０４Ｍ）に対して大部分が同様であるが完全には同一でない、実質的に相似な構成となっている。
【００９９】
第３可動体６０４Ｌは、図１３および図１４に示すように、第３伝達部材６０５Ｌに連動するように連結されている。該第３伝達部材６０５Ｌは、図１４に示すように、前記第１可動体６０４Ｓの第１伝達部材６０５Ｓの場合と同様に、概略上下方向に一直線状に延びるリンクアームとなっており、下端部が、前後方向に延びる第３回動軸６０６Ｌに回動自在に軸支され、上側半部には、上端から中央近傍まで直線状に延びるカム溝６０５２Ｌが後側面から陥入するように形成されている。
【０１００】
図１４に示すように、該第３伝達部材６０５Ｌの下端部よりやや上方からは、該第３伝達部材６０５Ｌの長さ方向に沿って、前方に矩形状の突起片６０５１Ｌが延出し、一方、前記第３可動体６０４Ｌにおける基体（図示省略）は、軸挿通孔で第３回動軸６０６Ｌに回動自在に軸支されているとともに、後側面からは左右に間隔をおいて１組の掛止片６０４７Ｌが延出していて、該掛止片６０４７Ｌの間に上記第３伝達部材６０５Ｌの突起片６０５１Ｌを挟むようにして配置されている。第３伝達部材６０５Ｌが左右に揺動すると、突起片６０５１Ｌが掛止片６０４７Ｌのいずれかに掛止し、これにより第３伝達部材６０５Ｌの揺動が第３可動体６０４Ｌに伝達されるようになっており、このとき、掛止片６０４７Ｌの間隔は突起片６０５１Ｌの厚さよりも大きく（およそ倍程度）、したがって第３伝達部材６０５Ｌの揺動はこの間隔のぶんだけ僅かに遅延して第３可動体６０４Ｌに伝達される。
【０１０１】
第３伝達部材６０５Ｌの下端部には左方に延出する正面視概略長円状の延出部６０５４Ｌが一体的に形成され、該延出部６０５４Ｌは第３可動体６０４Ｌの頭の部分の後方に隠蔽されて位置するようになっている。第３可動体６０４Ｌの頭の部分は、外形体６０４３Ｌとは別体の可動頭体６０１０Ｌとして成形され、第３回動軸６０６Ｌに回動自在に軸支される（図示せず）とともに、後方に連結ピン６０４８Ｌが延出して上記第３伝達部材６０５Ｌの延出部６０５４Ｌに連結されており、これにより、第３可動体６０４Ｌの可動頭体６０１０Ｌが第３伝達部材６０５Ｌと一体となって揺動するようになっている。このとき、第３可動体６０４Ｌの外形体６０４３Ｌは、前述の通り第３伝達部材６０５Ｌの揺動よりも僅かに遅延して揺動するようになっているから、第３可動体６０４Ｌの可動頭体６０１０Ｌに対しても同様に僅かに遅延して揺動するようになっている。
【０１０２】
また、第３伝達部材６０５Ｌの下端部には、第３回動軸６０６Ｌを中心として放射状に下方へ拡開しながら二又に（Ｖ字状に）延出する当接片６０５５Ｌが一体的に形成されている。第３可動体６０４Ｌの肢の部分は、前記第２可動体６０４Ｍの場合と同様に、カメの前肢を模した可動肢体６０４４Ｌとして別に成形されていて、付け根の部分（左端部）から後方に回動軸６０４５Ｌが延出して基体に回動自在に軸支されている。該回動軸６０４５Ｌには、正面視「へ」字形状の鈍角をなして屈曲するレバー片６０４９Ｌが屈曲部で回動自在に軸支され、該レバー片６０４９Ｌの一方片が上記第３伝達部材６０５Ｌの当接片６０５５Ｌの間に入り込むように延出し、他方片の先端部が連結ピン６０４０Ｌで前肢の付け根より先端寄りの位置に連結されている。第３伝達部材６０５Ｌが左方（反時計回り方向）に揺動すると、当接片６０５５Ｌがレバー片６０４９Ｌを介して可動肢体６０４４Ｌを回動軸６０４５Ｌを中心に時計回り方向に回動させるように駆動し、これにより可動肢体６０４４Ｌが前下方へ開く動作が表現され、第３伝達部材６０５Ｌが右方に揺動すると逆に可動肢体６０４４Ｌが閉じる動作が表現される。この可動肢体６０４４Ｌの動作は第３伝達部材６０５Ｌの揺動にほぼ同期して行われ、したがって第３可動体６０４Ｌの外形体６０４３Ｌの揺動よりも僅かに先行して行われる。
【０１０３】
第３伝達部材６０５Ｌは、左側モータ６０３Ｌの動力が伝達されて駆動されるようになっている。左側モータ６０３Ｌの回転軸には回転板６０９が固定され、該回転板６０９の外周部には前方へ延出するカムピン６０９１が設けられて前記第３伝達部材６０５Ｌのカム溝６０５２Ｌに嵌入するようになっている。回転板６０９の周縁からは遮光片６０９２が径方向に延出し、該遮光片６０９２がゲート部の間を通過し得るように左側回転位置検知センサ６１０が回転板６０９の右方よりやや上方に配置され、これにより回転板６０９の回転位置が把握されるようになっている。
【０１０４】
上記第３伝達部材６０５Ｌ、左側モータ６０３Ｌ、回転板６０９等は、外装部材６０１の左側半部における内周にほぼ追随する外形を有する板状の左側支持基材（図示せず）に装架され、該左側支持基材は外装部材６０１の左側半部における背面部を蓋状に閉塞するように（即ち前記右側支持基材とともに外装部材６０１の背面部を全面的に閉塞するように）嵌着固定される。これにより、図１３に示すように、これら各部材が外装部材６０１の左側半部における内部の所定位置に配置される。また、前述の第１可動体６０４Ｓおよび第２可動体６０４Ｍの場合と同様にして、第３可動体６０４Ｌが外装部材６０１の前側から取付固定される。こうして、図１３に示すように、外装部材６０１の前面における下端縁に沿って右寄りの位置に、第１可動体６０４Ｓ、第２可動体６０４Ｍおよび第３可動体６０４Ｌが右からこの順に１列に、それぞれが頭を左に向けた体勢で配置され、即ち大型、中型および小型のカメが先頭（左側）からこの順に１列に整列して左方へ進んでいく状況を模して配置され、それぞれ外装部材６０１内の駆動機構により駆動されて動作するように設けられて、カメ役物ユニット６００が構成される。
【０１０５】
以下、可動体６０４S,６０４M,６０４Lの初期位置設定に係る制御について説明する。
パチンコ機１０の電源立ち上げに伴い、主制御装置２１６内のＭＰＵ５０１によって初期化処理が実行される場合において、主制御装置２６１からサブ制御装置２６２へ向けて初期化動作用コマンドが送信される。サブ制御装置２６２ではこの初期化動作用コマンドに基づいてカムピン６０７１S,６０９１をそれぞれ定められた位置に移動させるべく右側モータ６０３R,左側モータ６０３Lを駆動させる制御が行われ、この制御に伴い可動体６０４S,６０４M,６０４Lがそれぞれ図１５に示す初期位置にセットされる。例えば右側モータ６０３Rは、サブ制御装置２６２が初期化動作用コマンドを受信すると、正面視における反時計回り方向（図１５にX１１で示す方向）へ第１ギア６０７Sを回転させ、これに連動して第２ギア６０７Mを正面視における時計回り方向（図１５にX１３で示す方向）へ回転させるように駆動する。この駆動に従って、第２ギア６０７Mに設けられている遮光片６０７２が中央回転位置検出センサ６０８Cまたは端部回転位置検出センサ６０８Eのいずれか一方により検出されることとなるが、これらの回転位置検出センサのうち中央回転位置検出センサ６０８Ｃによって遮光片６０７２が検出された場合には、検出時点（中央回転位置検出センサ６０８Ｃの検出範囲に入った時点）から中央回転位置検出センサ６０８Ｃの検出範囲のちょうど中央に至るまでの所定のステップ数、例えば３ステップだけ右側モータ６０３Rの駆動を継続させたのち停止させる。一方、端部回転位置検出センサ６０８Eによって遮光片６０７２が検出された場合には、検出時点から３ステップ駆動させたところで駆動を一旦停止させ、そこから所定のステップ数、たとえば９０ステップだけ右側モータ６０３Rを逆方向（図１５にＹ１３で示す反時計回り方向）に駆動させて、遮光片６０７２が中央回転位置検出センサ６０８Ｃの検出範囲のちょうど中央にくるようにする。
なお、遮光片６０７２は、時計回り方向への第２ギア６０７Mの回転に対するストッパとしての機能をも果たすものとなっており、当該ストッパとして遮光片６０７２が機能する状態（時計回り方向へ第２ギア６０７Mを回転させた場合において端部回転位置検出センサ６０８Eの検出時点から右側モータ６０３Rを３ステップ継続駆動させた状態）にある場合にも遮光片６０７２を検出できるように端部回転位置検出センサ６０８Eの検出範囲が定められている。そして、端部回転位置検出センサ６０８Eが右側モータ６０３Rの駆動開始時点において遮光片６０７２を検出している場合には、第２ギア６０７Mを反時計回り方向へ回転させ、端部回転位置検出センサ６０８Eが非検出となった時点から８７ステップ駆動させて右側モータ６０３Rを駆動停止させ、これにより遮光片６０７２が中央回転位置検出センサ６０８Ｃの検出範囲のちょうど中央にくるようにする。
当該制御により、遊技機の電源立ち上げ前において遮光片６０７２がどのような位置にあったとしても予め定められた初期位置（図１５に示す中央回転位置検出センサ６０８Ｃの検出範囲のちょうど中央の位置）に遮光片６０７２を停止させることができ、確実に可動体６０４S,６０４Mが初期位置へセットされることとなる。
【０１０６】
以下、第１可動体６０４Ｓおよび第２可動体６０４Ｍの動作について順次説明する。
（１）初期位置においては、図１５に示すように、第１ギア６０７Ｓにおいてカムピン６０７１Ｓが右端より僅かに上方の位置にあり、このカムピン６０７１Ｓにカム溝６０５２Ｓが規制されて、第１伝達部材６０５Ｓが最も垂直に近い体勢（厳密には垂直よりも若干左傾した体勢）に保持され、これにともない第１可動体６０４Ｓが頭のほうを左上方にやや持ち上げた体勢に保持されている。
【０１０７】
一方、第２ギア６０７Ｍにおいてカムピン６０７１Ｍがほぼ左端の位置にあり、このカムピン６０７１Ｍにカム溝６０５２Ｍおよび逃げ溝６０５３Ｍがこれらの境界位置で規制されて、第２伝達部材６０５Ｍがほぼ垂直に立った体勢に保持され、これにともない第２可動体６０４Ｍがほぼ水平な体勢で保持されている。またこれにともなって、第２可動体６０４Ｍにおける可動肢体６０４４Ｍのカムピン６０４６Ｍが外装部材６０１におけるカム溝６０１Ｇの右端部に位置して、該可動肢体６０４４Ｍが外形体６０４３Ｍにおける甲羅の部分（胴体部分）に引き寄せられるようにして閉じた体勢に保持されている。
【０１０８】
（２）初期位置から、図１５の矢印Ｘ１１に示すように、右側モータ６０３Ｒで第１ギア６０７Ｓを反時計回り方向に回転させると、これにともない第１伝達部材６０５Ｓが左傾する方向（即ち反時計回り方向）に回動して第１可動体６０４Ｓが図１５の矢印Ｘ１２に示すように頭を下げる方向（即ち反時計回り方向）に回動する。
【０１０９】
一方、上記第１ギア６０７Ｓの回転に連動して、第２ギア６０７Ｍが図１５の矢印Ｘ１３に示すように時計回り方向に回転する。このとき、第２ギア６０７Ｍのカムピン６０７１Ｍが第２ギア６０７Ｍの周方向に沿って時計回り方向に周回するが、第２伝達部材６０５Ｍの逃げ溝６０５３Ｍが該カムピン６０７１Ｍの周回軌道に沿った円弧形状を有しているので、該カムピン６０７１Ｍが逃げ溝６０５３Ｍ内を移動するだけであって第２伝達部材６０５Ｍへの動力伝達はなされず、したがって第２伝達部材６０５Ｍおよび第２可動体６０４Ｍは初期位置のまま保持される。
【０１１０】
カムピン６０７１Ｍが逃げ溝６０５３Ｍの終端部に達するまで、即ち第２ギア６０７Ｍが初期位置から約９０°時計回り方向に回転し、また一方、第１ギア６０７Ｓが初期位置から約１８０°反時計回り方向に回転すると、遮光片６０７２が端部回転位置検知センサ６０８Ｅに到達して検知され、これにより第２ギア６０７Ｍが時計回り方向の限界位置まで回転したことが把握されて、右側モータ６０３Ｒが逆回転され、駆動機構の全体が初期位置に復帰する。
【０１１１】
（３）初期位置から、図１５の矢印Ｙ１１に示すように、右側モータ６０３Ｒで第１ギア６０７Ｓを時計回り方向に回転させると、この場合にも第１伝達部材６０５Ｓが左傾する方向（即ち反時計回り方向）に回動して第１可動体６０４Ｓが図１５の矢印Ｙ１２に示すように頭を下げる方向（即ち反時計回り方向）に回動する。
【０１１２】
このとき、第１伝達部材６０５Ｓのカム溝６０５２Ｓは、カムピン６０７１Ｓの初期位置で該カムピン６０７１Ｓの周回軌道である円周に接する接線の方向に延びる直線状のカム溝となっているので、カムピン６０７１Ｓが初期位置から図１５の矢印Ｘ１１およびＹ１１で示す反時計回り方向および時計回り方向のいずれの方向に移動しても、第１伝達部材６０５Ｓはカムピン６０７１Ｓの初期位置からカムピン６０７１Ｓの周回軌道である円周の中心すなわち第１ギア６０７Ｓの中心の側へ引き寄せられ、したがって同一方向（左傾する方向）に回動するようになっている。
【０１１３】
一方、上記第１ギア６０７Ｓの時計回り方向の回転に連動して、第２ギア６０７Ｍが反時計回り方向に回転する。このとき、図１５の矢印Ｙ１３に示すように、第２ギア６０７Ｍのカムピン６０７１Ｍが初期位置に復帰した後は、該カムピン６０７１Ｍが直線状のカム溝６０５２Ｍに嵌合した状態で反時計回り方向に周回していくので、これにともない第２伝達部材６０５Ｍへ動力が伝達されて該第２伝達部材６０５Ｍが右傾する方向（即ち時計回り方向）に回動して第２可動体６０４Ｍが図１５の矢印Ｙ１４に示すように頭を上げる方向（即ち時計回り方向）に回動する。
【０１１４】
また、上記第２可動体６０４Ｍの回動にともない、可動肢体６０４４Ｍのカムピン６０４６Ｍが図１５の矢印Ｙ１５に示すように外装部材６０１における水平方向に延びるカム溝６０１Ｇに沿って左方へ案内され、これにより、可動肢体６０４４Ｍが図１５の矢印Ｙ１６に示すように外形体６０４３Ｍにおける甲羅の部分（胴体部分）から離れて開いていくように動作する。
【０１１５】
なお、カムピン６０７１Ｓの周回軌道である円周の中心すなわち第１ギア６０７Ｓの中心と、カムピン６０７１Ｓの初期位置と、第１伝達部材６０５Ｓの回動中心すなわち第１回動軸６０６Ｓとは直角三角形をなす３点にあって、即ち同一直線上にないから、カムピン６０７１Ｓが初期位置から反時計回り方向および時計回り方向のいずれの方向にも同量（同角度）だけ、例えば最大限に即ち約１８０°ずつ移動、即ち対称に移動しても、このカムピン６０７１Ｓの両方向への移動にそれぞれ連動する第１伝達部材６０５Ｓの回動は同量（同角度）とはなっておらず、図１５の矢印Ｘ１２およびＹ１２によっても模式的に示すように、カムピン６０７１Ｓが第１伝達部材６０５Ｓの回動中心すなわち第１回動軸６０６Ｓの側へ向かって時計回り方向に周回する場合のほうが、反時計回り方向に周回する場合よりも第１伝達部材６０５Ｓの回動量（回動角度）が大となっている、即ち頭を下げる方向への第１可動体６０４Ｓの移動量は非同一となる。したがって、カムピン６０７１Ｓをどちらの方向に移動させる場合にも第１伝達部材６０５Ｓが同一方向（左傾する方向）に沿ってほぼ同一の動作態様（回動量）で回動するように、第１ギア６０７Ｓと第２ギア６０７Ｍとの回動量が若干小さくなるように設定されている。詳細には、第１ギア６０７Ｓが初期位置から約１７０°時計回り方向に回転し、また一方、第２ギア６０７Ｍが初期位置から約８５°反時計回り方向に回転すると限界位置となり、右側モータ６０３Ｒが逆回転されて駆動機構の全体が初期位置に復帰する。
【０１１６】
以上のように、第１ギア６０７Ｓを初期位置から図１５の矢印Ｘ１１に示すように反時計回り方向に回転させると、第１可動体６０４Ｓのみが図１５の矢印Ｘ１２に示すように頭を下げる動作をし、第１ギア６０７Ｓを初期位置から図１５の矢印Ｙ１１に示すように時計回り方向に回転させると、第１可動体６０４Ｓが図１５の矢印Ｙ１２に示すように頭を下げる同方向の動作（ほぼ同じ動作量で）をするとともに、第２可動体６０４Ｍが図１５の矢印Ｙ１４に示すように頭を上げる動作ならびに可動肢体６０４４Ｍを図１５の矢印Ｙ１６に示すように開いていく動作をする。即ち、右側モータ６０３Ｒを初期位置から正逆いずれの方向に回転させる場合にも第１可動体６０４Ｓにほぼ同一の動作をそれぞれ行わせ、一方、第２可動体６０４Ｍは動作の停止すなわち制限動作と通常動作とをそれぞれ切り替えるように行わせるようになっている。つまり、第１可動体６０４Ｓおよび第２可動体６０４Ｍはいずれも、右側モータ６０３Ｒが正逆回転するのに従って単に反対の動作態様をとるものではなく、これによって各可動体があたかも連動していないかのような動作態様を単一の駆動源によって実現している。
【０１１７】
このとき、第１ギア６０７Ｓを初期位置から図１５の矢印Ｘ１１に示すように反時計回り方向に回転させた場合には、前述の通り、第２ギア６０７Ｍのカムピン６０７１Ｍが第２伝達部材６０５Ｍの逃げ溝６０５３Ｍ内を移動することにより第２伝達部材６０５Ｍへの動力伝達がなされず、これにより第２伝達部材６０５Ｍおよび第２可動体６０４Ｍが動作の停止、即ち通常動作よりも制限された制限動作を行うようになっている。このように、第２ギア６０７Ｍのカムピン６０７１Ｍが第２伝達部材６０５Ｍの逃げ溝６０５３Ｍ内を移動する構成とすることにより、右側モータ６０３Ｒの駆動範囲内の一部、即ち第１ギア６０７Ｓを初期位置から反時計回り方向Ｘ１１に回転させる駆動範囲において第２可動体６０４Ｍへの動力伝達を断絶すなわち制限する伝動制限機構が構成されている。
【０１１８】
第３可動体６０４Ｌは、前述の通り第１可動体６０４Ｓと基本的に同様の構成となっているので、その動作も基本的に同様となっており、このため同様の動作については説明を省略する。ただし、第３可動体６０４Ｌの場合には、前述の通り、第３可動体６０４Ｌの外形体６０４３Ｌが第３伝達部材６０５Ｌの揺動よりも僅かに遅延して揺動するようになっている点、可動頭体６０１０Ｌも別体として連動するようになっている点、ならびに可動肢体６０４４Ｌが前記第２可動体６０４Ｍの可動肢体６０４４Ｍとは異なる機構により連動するようになっている点が主として特徴的となっている。また、第１可動体６０４Ｓおよび第２可動体６０４Ｍを駆動する右側モータ６０３Ｒとは別の左側モータ６０３Ｌにより単独で駆動されるようになっているので、第１可動体６０４Ｓおよび第２可動体６０４Ｍに対して独立して動作するよう駆動され、したがって例えば第１可動体６０４Ｓおよび第２可動体６０４Ｍの動作に多少とも関連したタイミングで動作を行う（例えば第１可動体６０４Ｓないし第２可動体６０４Ｍの動作の周期と同一の周期で動作したり複数周期ごとに間欠的に動作したり等）ようにも、あるいは第１可動体６０４Ｓおよび第２可動体６０４Ｍの動作に無関係な独自のタイミングで動作を行うようにも、自在に制御することが可能となっている。
【０１１９】
本パチンコ機１０においては、前述の通り右側モータ６０３Ｒの正逆回転に応じて、第１可動体６０４Ｓのみが動作するパターンと、第１可動体６０４Ｓおよび第２可動体６０４Ｍの両者が動作するパターンとが選択的に行われるようになっているが、この２つの動作パターンに加えて、第１可動体６０４Ｓ、第２可動体６０４Ｍおよび第３可動体６０４Ｌのすべてが動作するパターンも行われるように設定されている。これにより、動作する可動体が多いほど大当たりの期待度が段階的に高まるように動作パターンが選択されると共に、これらの動作パターンでは動作する可動体が小さい順に追加されていくように制御される。またこの場合、前述の通り、第１可動体６０４Ｓは全体が一体として回動する動作を、第２可動体６０４Ｍは全体の回動に加えて可動肢体６０４４Ｍが開く動作を、第３可動体６０４Ｌは全体の回動に加えて可動肢体６０４４Ｌが開く動作および可動頭体６０１０Ｌが揺動する動作を、それぞれ行うようになっているので、段階的に追加されていく可動体のそれぞれの動作がより多岐化していくようになっている。
【０１２０】
また、第１可動体６０４Ｓ、第２可動体６０４Ｍおよび第３可動体６０４Ｌが、それぞれの動作に応じて内部のＬＥＤにより発光するように制御され、それぞれの外形体６０４３Ｓ、６０４３Ｍ、６０４３Ｌの目の部分で発光がなされるとともに、それぞれの甲羅部分の色で発光演出がなされるようになっている。さらにまた、前記右側支持基材および左側支持基材の内側面には、右側モータ６０３Ｒおよび左側モータ６０３Ｌ、中央および端部回転位置検知センサ６０８Ｃ、６０８Ｅ、左側回転位置検知センサ６１０、ＬＥＤ基板６０４２Ｓ、６０４２Ｍ等の電気部品を中継する中継基板がそれぞれ取付固定され（図示省略）、該中継基板自体の前面にも各所にＬＥＤが搭載されていて、これらＬＥＤから前方へ、即ち第１可動体６０４Ｓ、第２可動体６０４Ｍおよび第３可動体６０４Ｌの背景部から前方へ発光がなされるようになっている。
【０１２１】
本パチンコ機１０においては、４種類のリーチ種別によって可動体の動作パターンが制御されるように設定されている。より具体的には、第１の始動入賞装置３３（始動口）への入球タイミングに基づいて大当り乱数の抽選が行われ、この抽選の結果に応じて装飾図柄表示装置４２に表示する図柄の変動表示等といった演出内容が決定される。図柄の変動表示には、リーチを含むものと含まないものとがあり、リーチを含むものとしては例えば、ノーマルリーチ（大当たりとなる確率が低確率であるリーチ状態）、スーパーリーチ（大当たりとなる確率が中確率であるリーチ状態）、スペシャルリーチ（大当たりとなる確率が高確率であるリーチ状態）、プレミアムリーチ（大当たりとなる確率が１００％であるリーチ状態）等のリーチの種別が設定されている。これらのリーチの種別によって、以下のａ）〜d ）の４通りの動作パターンのいずれかが選択的に行われるように制御されるようになっている。
ａ）図柄変動表示期間のうちノーマルリーチとなる前（場合によっては後）の期間に、右側モータ６０３Ｒで第１ギア６０７Ｓを初期位置から反時計回り方向Ｘ１１に１８０°回転させたのち初期位置に戻す往復動作を繰り返し行わせる「第１動作パターン」の動作を制御することにより、第１可動体６０４Ｓのみを動作させ、第２可動体６０４Ｍは伝動制限機構により停止（制限動作）させておき、また左側モータ６０３Ｌは稼動せず第３可動体６０４Ｌは停止させておく
ｂ）図柄変動表示期間のうちスーパーリーチとなる前（場合によっては後）の期間に、右側モータ６０３Ｒで第１ギア６０７Ｓを初期位置から時計回り方向Ｙ１１に１７０°回転させたのち初期位置に戻す往復動作を繰り返し行わせる「第２動作パターン」の動作を制御することにより、第１可動体６０４Ｓを動作させるとともに、同周期で第２可動体６０４Ｍも通常動作を行わせ、また左側モータ６０３Ｌは稼動せず第３可動体６０４Ｌは停止させておく
ｃ）図柄変動表示期間のうちスペシャルリーチとなる前（場合によっては後）の期間に、上記ｂ）スーパーリーチとなった場合と同様にして第１可動体６０４Ｓおよび第２可動体６０４Ｍの両者を往復動作させ、また左側モータ６０３Ｌで第３可動体６０４Ｌを往復動作させる「第３動作パターン」の動作を制御する
d ）図柄変動表示期間のうちプレミアムリーチとなる前の期間に、第１動作パターンの動作態様と第２動作パターンの動作態様とが混在する第４動作パターンの動作、詳細には、第１動作パターンの往復動作を繰り返し行う間に、第１ギア６０７Ｓを初期位置から反時計回り方向Ｘ１１に１８０°回転させた状態から初期位置を通過する３５０°の範囲を往復する動作態様を所定のタイミングによって挿入する一連の動作を制御する
【０１２２】
このように、内部抽選の結果、大当たりとなる確率が高いリーチ種別となった場合ほど動作する可動体も多くその動作も多岐となるため、大当たり期待度を可動体の動作態様から容易に予測できるものとなっている。一方で例外的な特殊態様（プレミアムリーチの場合）が存在しているが、法則に従った他の動作態様が互いに区別が容易となっていることでこの特殊態様を判別し易くなっている。即ち、期待度の高さに応じて、可動体６０４における動作の多さや盛大さの程度が低度もの、中程度のものおよび高度のものという３通りの動作パターンにより大当たりの期待度が低度であること、中程度であることおよび高度であることを示唆するように、内部抽選の結果に基づいてこれらの動作パターンのいずれかが選択されるほか、例外的に特殊な動作パターンが選択される場合は確実に大当たりとなるように制御される。
【０１２３】
このとき、装飾図柄表示装置４２においても、大当たりとなる確率が高いリーチ種別となった場合ほど盛大な内容の演出パターンとなるような表示演出が行われるようになっているが、このような装飾図柄表示装置４２すなわち液晶表示装置による表示演出だけでなく、上述のように実物の可動体６０４の動作でもリーチ種別に応じた動作パターンで演出を行うことにより、期待演出の内容、特に期待度の相違が視覚的に一層わかりやすく、興趣もさらに盛り上がって演出効果もより良好となっている。
【０１２４】
本パチンコ機１０における遊技状態は、遊技が一定時間されていない場合の「デモンストレーション状態」から、遊技領域における入賞口への遊技球の入球に基づいて、数種に異なる状態に変移する。即ち、図柄の変動表示がされている「図柄変動状態」、この図柄変動状態として、図柄の変動表示開始後であってリーチが発生していない「非リーチ変動状態」およびリーチが発生している「リーチ状態」、図柄の変動表示が停止され遊技者に有利な「大当たり状態」、始動口に遊技球が入賞し易い「サポート状態」等に変移するが、このように遊技状態が変化する幾度かのタイミングのうちのいずれかのタイミングを任意に選択し、この選択したタイミングに応じて動作パターンを制御するようにすることができる。例えば、リーチ状態の開始および終了にともなって第１可動体６０４Ｓ、第２可動体６０４Ｍおよび第３可動体６０４Ｌのすべてが一斉に動作するパターンを開始および終了するように制御したりするようにしてもよい。また、例えば、デモンストレーション状態または非リーチ変動状態で第１可動体６０４Ｓのみの動作を開始しておき、リーチ状態の開始にともなって、第２可動体６０４Ｍの動作を追加して開始し、リーチ状態の終了にともなって第１可動体６０４Ｓのみの動作に復帰するように制御するようにしてもよく、あるいはこれに加えて、大当たり状態の開始にともなって、第３可動体６０４Ｌの動作を追加して開始するといったように、遊技状態の変移に応じて作動態様を多段階に変化させるように制御するようにし、これにより興趣演出にさらに変化を付与するようにしてもよい。さらには、動作する可動体としてより大型のものが段階的に追加されていくように動作パターンを制御するようにしてもよい。
【０１２５】
上記カメ役物ユニット６００は、図１６に示すように、液晶取付枠部材６２０に取り付け一体化される。液晶取付枠部材６２０は、主として装飾図柄表示装置４２の取付台として機能する枠状の部材であり、装飾図柄表示装置４２の表示画面を露出させる概略横長の長方形状の開口６２０Ｓを中央やや下方寄りに有し、背面側から装飾図柄表示装置４２が取付固定されて支持されるようになっている。左上の隅部が角落ちして斜辺となった概略矩形状の外形を有していて、周縁からは取付フランジ６２０Ｆが延出して該取付フランジ６２０Ｆで遊技盤３０の後方からネジ固定されるようになっている。開口６２０Ｓの右側、左側および下側にはそれぞれＬＥＤ基板が配置されており（図示せず）、各ＬＥＤ基板を覆うようにして、それぞれ光透過性を有する樹脂よりなり全体に装飾が形成された右側基板カバー６２０Ｒ、左側基板カバー６２０Ｌおよび下側基板カバー６２０Ｂがそれぞれ取付固定されている。装飾図柄表示装置４２が取付固定された液晶取付枠部材６２０は、前記センターフレーム４３とともに、可変表示装置ユニット３５を構成している。カメ役物ユニット６００は、液晶取付枠部材６２０の上部に、開口６２０Ｓの上端縁に沿って取付固定され、液晶取付枠部材６２０とともに遊技盤３０の中央部に配置されて、図４に示すように、遊技領域の中央部において、装飾図柄表示装置４２の表示画面と上下に並ぶようにして、可動体６０４を含む大部分が前方へ露出するようになっている。
【０１２６】
（作用）
上記パチンコ機１０は、外部から視認し得る位置である可変表示装置ユニット３５の上部に、演出用の可動装置としてカメ役物ユニット６００が設けられた構成において、上記カメ役物ユニット６００は、動作し得るよう可動に構成された第２可動体６０４Ｍと、上記第２可動体６０４Ｍを動作させるための動力を発生する駆動源として右側モータ６０３Ｒとを備え、上記右側モータ６０３Ｒの駆動範囲内の一部、即ち第１ギア６０７Ｓを初期位置から反時計回り方向Ｘ１１に回転させる駆動範囲において上記第２可動体６０４Ｍへの動力伝達を制限（断絶）する伝動制限機構が設けられた構成となっている。
【０１２７】
上記構成によれば、右側モータ６０３Ｒから第２可動体６０４Ｍへ動力が伝達されて第２可動体６０４Ｍが動作するが、右側モータ６０３Ｒの駆動範囲内の一部、即ち第１ギア６０７Ｓを初期位置から反時計回り方向Ｘ１１に回転させる駆動範囲においては伝動制限機構により動力伝達が制限（断絶）され、これにともない第２可動体６０４Ｍの動作が制限（断絶）される。したがって、伝動制限機構を設けるだけの簡単な構成により、右側モータ６０３Ｒの駆動範囲において、第２可動体６０４Ｍに通常の回動動作（通常動作）と、この通常動作よりも制限された、動作の停止すなわち制限動作との両方が行われるようになっており、これにより第２可動体６０４Ｍの動作に効率的に変化が付与されている。
【０１２８】
また、第１の始動入賞装置３３（始動口）への入球を契機として内部抽選が行われ、この抽選の結果に応じて複数の異なる演出パターン即ちノーマルリーチ、スーパーリーチ、スペシャルリーチおよびプレミアムリーチを含んで構成されるリーチ演出（期待演出）がなされ、上記複数の演出パターンのうちの特定の演出パターンであるノーマルリーチ演出などがなされるときに選択的に上記伝動制限機構が上記第２可動体６０４Ｍへの動力伝達を制限するように構成されているので、第２可動体６０４Ｍの通常動作と制限動作（動作の停止）とが、抽選の結果に基づく演出パターンの相違に応じて行われるようになっており、したがって演出が視覚的にさらにわかりやすく、演出効果もより良好となっている。
【０１２９】
また、可動体６０４が、第１可動体６０４Ｓと第２可動体６０４Ｍとを含む複数（３つ）の可動体より構成され、上記第１可動体６０４Ｓおよび第２可動体６０４Ｍの両者が同一の駆動源である右側モータ６０３Ｒからの動力により駆動され、上記右側モータ６０３Ｒの駆動範囲内の一部、即ち第１ギア６０７Ｓを初期位置から反時計回り方向Ｘ１１に回転させる駆動範囲において、上記第１可動体６０４Ｓおよび第２可動体６０４Ｍのうちの一方である第２可動体６０４Ｍのみへの動力伝達が上記伝動制限機構により制限（断絶）されるようになっているので、通常動作時には第１可動体６０４Ｓおよび第２可動体６０４Ｍの両者が駆動され、右側モータ６０３Ｒの駆動範囲内の一部においては一方である第２可動体６０４Ｍの動作が制限されることとなる。即ち、第１可動体６０４Ｓおよび第２可動体６０４Ｍの両者が通常動作をするパターンと、一方の第１可動体６０４Ｓが通常動作を、他方の第２可動体６０４Ｍが制限動作（動作の停止）をそれぞれするパターンと、の２通りの動作パターンで動作が行われることとなる。したがって、可動体６０４の動作にいっそう効果的に変化が付与され、特に、上述の通り複数の演出パターンのうちの特定の演出パターンであるノーマルリーチ演出がなされるときに選択的に上記伝動制限機構が上記第２可動体６０４Ｍへの動力伝達を制限するように構成されているので、抽選の結果に基づく演出パターンの相違がより効果的に表現されるようになっている。また、第１可動体６０４Ｓおよび第２可動体６０４Ｍの一方である第１可動体６０４Ｓに通常動作を、他方である第２可動体６０４Ｍに制限動作をそれぞれ行わせるのに、同一の駆動源である右側モータ６０３Ｒからの動力を用いるようにしているので、それぞれ別の駆動源を用いる場合に比して構成が簡略化されている。あるいは換言すれば、それぞれ別の駆動源を用いる場合には複数の可動体のそれぞれに個別の動作を行わせるのもごく容易であるのに対し、同一の駆動源である右側モータ６０３Ｒの駆動範囲内の一部において第１可動体６０４Ｓおよび第２可動体６０４Ｍの一方である第２可動体６０４Ｍのみに選択的に制限動作を行わせるようになっているので、伝動制限機構を設ける構成が特に有用となっている。
【０１３０】
また、上記伝動制限機構が、動力伝達対象である第２伝達部材６０５Ｍへの動力伝達を断絶するようになっているので、駆動源である右側モータ６０３Ｒの駆動範囲内の一部において第２伝達部材６０５Ｍの動作が停止するようになっており、この場合、動作の停止が制限動作に相当するものとなっている。したがって、通常動作と制限動作とが、通常動作とその停止となって対比がより明確となっている。
【０１３１】
また、上記駆動源である右側モータ６０３Ｒからの動力が、該動力により移動する接触子であるカムピン６０７１Ｍが動力伝達対象である第２伝達部材６０５Ｍのカム溝６０５２Ｍに当接することによって伝達され、上記伝動制限機構が、カムピン６０７１Ｍが第２伝達部材６０５Ｍに抵触しない非抵触部として逃げ溝６０５３Ｍを設けることにより構成されているので、簡単な構成によって動力伝達対象である第２伝達部材６０５Ｍへの動力伝達を断絶することが可能な伝動制限機構が構成されている。
【０１３２】
また、上記カムピン６０７１Ｍが第１方向すなわち初期位置から時計回り方向Ｘ１３への移動（および初期位置への復帰）の方向と、該第１方向とは異なる第２方向すなわち初期位置から反時計回り方向Ｙ１３への移動（および初期位置への復帰）の方向とに移動することができ、動力伝達対象である第２伝達部材６０５Ｍが、上記第１方向および第２方向の一方である第１方向において上記カムピン６０７１Ｍが内部を移動する、該カムピン６０７１Ｍの幅より僅かに大きい幅で該カムピン６０７１Ｍの移動方向に沿って延びる逃げ溝６０５３Ｍと、他方である第２方向において上記カムピン６０７１Ｍが当接する当接部であるカム溝６０５２Ｍと、が形成されたものとなっているので、逃げ溝６０５３Ｍの内部をカムピン６０７１Ｍが移動する間は動力伝達がなされず、したがって、逃げ溝６０５３Ｍを設けるという簡単な構成により非抵触部が構成されている。さらにまた、逃げ溝６０５３Ｍの内部をカムピン６０７１Ｍが移動する間は、逃げ溝６０５３Ｍの幅方向の動きがカムピン６０７１Ｍにより規制されるので、逃げ溝６０５３Ｍが形成された第２伝達部材６０５Ｍが余分な動きをしないように規制されるようになっている。このとき、例えば、第１方向の側で逃げ溝を形成するのではなく動力伝達対象（伝達部材）を開放するようにし、この第１方向側では接触子（カムピン）が何ものにも規制されないようにしても非抵触部を構成することができるが、この構成の場合、動力伝達対象の動きも規制されないため、例えば何らかの外力を受けて動力伝達対象が動くこともあり得る。このように動力伝達対象が本来動くべきでないときに誤って動いたりすると、これによって異なる演出パターンがなされたように遊技者が誤解することともなる。これに対し、本パチンコ機１０においては、非抵触部である逃げ溝６０５３Ｍにおいて動力伝達対象である第２伝達部材６０５Ｍの動きが規制されるようになっているので、動力伝達対象（第２伝達部材６０５Ｍ）の余分な動きによって遊技者に誤解が生じるといった事態が回避されるようになっている。特に本パチンコ機１０の場合、前述の通り、大当たりとなる確率がノーマルリーチよりも高いスーパーリーチまたはプレミアムリーチとなったときに第２伝達部材６０５Ｍが動作するように設定されているので、第２伝達部材６０５Ｍが動くべきでないときに動くと、実際よりも期待度が高いような誤解が生じることとなる。
【０１３３】
また、動力伝達対象が、回動可能に軸支されるとともにカム溝６０５２Ｍが形成されたリンクアームである第２伝達部材６０５Ｍを含み、上記駆動源である右側モータ６０３Ｒが正逆回転可能なモータであって、該右側モータ６０３Ｒの回転軸に、第２伝達部材６０５Ｍのカム溝６０５２Ｍに嵌合するカムピン６０７１Ｍが偏心位置に配設された第２ギア６０７Ｍが連動するように連結され、上記第２ギア６０７Ｍのカムピン６０７１Ｍが、上記第２伝達部材６０５Ｍのカム溝６０５２Ｍにおける一方端（上端）に嵌合し、該カムピン６０７１Ｍがカム溝６０５２Ｍの他方端（下端）側へ移動するように上記第２ギア６０７Ｍが回転することで該第２ギア６０７Ｍから第２伝達部材６０５Ｍへ動力が伝達され、上記第２伝達部材６０５Ｍのカム溝６０５２Ｍにおける一方端（上端）からは、上記第２ギア６０７Ｍのカムピ６０７１Ｍンの移動軌跡に沿って円弧状にのびる逃げ溝６０５３Ｍが、上記カム溝６０５２Ｍに連通するように形成されているので、第２伝達部材６０５Ｍのカム溝６０５２Ｍにおける一方端（上端）に第２ギア６０７Ｍのカムピン６０７１Ｍが嵌合した初期位置から、該カムピン６０７１Ｍがカム溝６０５２Ｍの他方端（下端）側へ移動するように第２ギア６０７Ｍが回転すると、該第２ギア６０７Ｍから第２伝達部材６０５Ｍへ動力が伝達されて該第２伝達部材６０５Ｍが回動し、一方、カムピン６０７１Ｍが初期位置から上記とは反対側（上方）へ移動するように第２ギア６０７Ｍが回転すると、該カムピン６０７１Ｍが逃げ溝６０５３Ｍに沿って移動して第２伝達部材６０５Ｍへの動力伝達はなされない。即ち、カムピン６０７１Ｍが初期位置からカム溝６０５２Ｍ内を移動するように第２ギア６０７Ｍが回転すると、駆動源である右側モータ６０３Ｒから動力が伝達されて第２伝達部材６０５Ｍが通常動作として回動し、一方、カムピン６０７１Ｍが初期位置から逃げ溝６０５３Ｍ内を移動するように第２ギア６０７Ｍが回転すると、第２伝達部材６０５Ｍへの動力伝達が断絶して該第２伝達部材６０５Ｍが停止状態となる。このように、カムピン６０７１Ｍが初期位置からカム溝６０５２Ｍ内と逃げ溝６０５３Ｍ内とを選択的に移動し得る構成とすることで、駆動源である右側モータ６０３Ｒの駆動範囲内の一部において動力伝達対象である第２伝達部材６０５Ｍへの動力伝達を効果的に制限し得る伝動制限機構が構成されている。
【０１３４】
また、上記第２可動体６０４Ｍとは別の第１可動体６０４Ｓを有し、上記右側モータ６０３Ｒの動力が、該右側モータ６０３Ｒの全駆動範囲内において、上記第２ギア６０７Ｍとは別の第１ギア６０７Ｓを介して、上記第１可動体６０４Ｓへ伝達され、右側モータ６０３Ｒの全駆動範囲内において第１可動体６０４Ｓが動作を行うので、第２可動体６０４Ｍおよび第１可動体６０４Ｓの両者が通常動作をするパターンと、一方である第１可動体６０４Ｓが通常動作を、他方である第２可動体６０４Ｍが制限動作（動作の停止）をそれぞれするパターンと、の２通りの動作パターンで動作が行われるようになっている。したがって、可動体６０４の動作にいっそう効果的に変化が付与されている。また、第１可動体６０４Ｓおよび第２可動体６０４Ｍのうちの一方である第１可動体６０４Ｓに通常動作を、他方である第２可動体６０４Ｍに制限動作をそれぞれ行わせるのに、同一の右側モータ６０３Ｒからの動力を用いるようにしているので、それぞれ別の駆動源を用いる場合に比して構成が簡略化されている。換言すれば、同一の右側モータ６０３Ｒの駆動範囲内の一部において、第１可動体６０４Ｓおよび第２可動体６０４Ｍのうちの一方である第２可動体６０４Ｍのみに選択的に制限動作を行わせるようになっているので、伝動制限機構を設ける構成が特に有用となっている。さらにまた、同一の右側モータ６０３Ｒからの動力を、２つのギアすなわち第１ギア６０７Ｓおよび第２ギア６０７Ｍを介して第１可動体６０４Ｓおよび第２可動体６０４Ｍの両者へ伝達するようになっているので、簡略な構成により伝達機構が構成されている。
【０１３５】
（変更態様）
上記パチンコ機１０には、例えば以下に列挙するように様々な変更を加えることが可能である。なお、以下に列挙する変更態様において、前記実施形態の場合と同様の部位や部材には同一の符号を付し、その説明は基本的に省略する。
【０１３６】
（１）前記実施形態において、上記カメ役物ユニット６００は、動力を発生する駆動源として右側モータ６０３Ｒと、この右側モータ６０３Ｒの駆動を共有して動作し得るよう可動に構成された第１可動体６０４Ｓ及び第２可動体６０４Ｍと、これらの各可動体に上記右側モータ６０３Ｒの駆動を伝達するための第１ギア６０７Ｓ、第１伝達部材６０５Ｓ、第２ギア６０７Ｍ、第２伝達部材６０５Ｍなどを備えていたが、これに替えて、第２可動体６０４Ｍ、第２ギア６０７Ｍ及び第２伝達部材６０５Ｍを削除した構成、若しくは異なる駆動源によって動作させる構成としてもよい。つまり、右側モータ６０３Ｒを、上記第１可動体６０４Ｓのみを動作させるための構成として使用する。なお、このように第１可動体を単独で動作させる構成にあっては、第１可動体６０４Ｓを動作させるための前記実施形態における構成に対してさらに以下の変更を加えることが好ましい。つまり、前記実施形態では、上記右側モータ６０３Ｒから、第１の駆動方向すなわち第１ギア６０７Ｓの初期位置から反時計回り方向Ｘ１１への移動（および初期位置への復帰）の方向と、該第１の駆動方向とは異なる第２の駆動方向すなわち第１ギア６０７Ｓの初期位置から時計回り方向Ｙ１１への移動（および初期位置への復帰）の方向との２通りの駆動方向に沿った駆動力が上記第１可動体６０４Ｓへ伝達されるように、上記第１の駆動方向と第２の駆動方向とのそれぞれに右側モータ６０３Ｒが駆動されることで、上記第１可動体６０４Ｓが、図１５の矢印Ｘ１２およびＹ１２に示すように同一方向すなわち反時計回り方向（頭を下げる方向）に沿ってほぼ同一の動作態様で動作し得るように構成されていたが、これに替えて、異なる動作態様（回動量すなわち回動角度）で動作し得るように構成する。この場合には、右側モータ６０３Ｒから第１可動体６０４Ｓへ動力が伝達されて第１可動体６０４Ｓが動作するが、第１の駆動方向に沿った駆動力が伝達されるときと第２の駆動方向に沿った駆動力が伝達されるときとで、同一方向に沿って異なる動作態様で第１可動体６０４Ｓが動作することで、該第１可動体６０４Ｓの動作に変化が付与される。このとき、動作の方向が同一であって動作態様が異なるようにして変化が付与されるので、多少の変化をつけながら同様の動作が反復されるようになり、これにより、第１可動体６０４Ｓの動作に注目を集めることができる効果的な演出が行われるようになる。
【０１３７】
また、前記実施形態の構成を利用すれば、右側モータ６０３Ｒの正逆回転を利用した第１の駆動方向と第２の駆動方向との動作量や動作速度等を異なるものとしなくても自動的に第１可動体６０４Ｓの動作態様が異なるものとなる構成となっており、したがって機構を複雑化させたり大掛かりとしたりすることなく前述の効果的な演出を実現できるものとなっている。つまり、上記駆動源である右側モータ６０３Ｒが正逆回転可能なモータであって、上記右側モータ６０３Ｒにより回転駆動されて所定の円周上を正逆方向すなわち反時計回り方向Ｘ１１および時計回り方向Ｙ１１に周回し得るカムピン６０７１Ｓを有し、動力伝達対象である第１伝達部材６０５Ｓが、前記カムピン６０７１Ｓの初期位置で該カムピン６０７１Ｓが周回する円周に接する接線の方向に延びるカム溝６０５２Ｓを有して該カム溝６０５２Ｓで前記カムピン６０７１Ｓに嵌合し、該カムピン６０７１Ｓの初期位置と該カムピン６０７１Ｓが周回する円周の中心すなわち第１ギア６０７Ｓの中心とを通る直線上にない位置である当該第１伝達部材６０５Ｓの下端部で回動可能に軸支されているので、カムピン６０７１Ｓが初期位置から移動すると、これにともなってカム機構により動力伝達対象である第１伝達部材６０５Ｓが移動するが、このときカム溝６０５２Ｓは、カムピン６０７１Ｓの初期位置で該カムピン６０７１Ｓの周回軌道である円周に接する接線の方向に延びるものとなっているので、カムピン６０７１Ｓが正逆いずれの方向に移動しても、第１伝達部材６０５Ｓはカムピン６０７１Ｓの初期位置からカムピン６０７１Ｓの周回軌道である円周の中心すなわち第１ギア６０７Ｓの中心の側へ引き寄せられ、したがって同一方向（左傾する方向）に回動するようになっている。さらにこのとき、カムピン６０７１Ｓの周回軌道である円周の中心すなわち第１ギア６０７Ｓの中心と、カムピン６０７１Ｓの初期位置と、第１伝達部材６０５Ｓの回動中心である第１回動軸６０６Ｓとは同一直線上にないから、例えばカムピン６０７１Ｓが初期位置から正逆いずれの方向にも同量（同角度）移動する、即ち対称に移動しても、このカムピン６０７１Ｓの両方向への移動にそれぞれ連動する第１伝達部材６０５Ｓの回動は同量（同角度）とはならず多少ともずれる、即ち非対称となるようになっている。したがって、動力伝達対象である第１伝達部材６０５Ｓが同一方向に沿って異なる動作態様で動作する機構が簡潔な構成により得られている。
【０１３８】
（２）前記実施形態においては、接触子であるカムピン６０７１Ｍが第２伝達部材６０５Ｍに抵触しない非抵触部として逃げ溝６０５３Ｍを設けることにより伝動制限機構が構成されていたが、これにかえて、例えば図１７に示すように、第２伝達部材６２１Ｍにおけるカム溝６２１２Ｍの上端側を開放するように形成してこの開放部６２１３Ｍを非抵触部としてもよい。この構成においては、カムピン６０７１Ｍが第２方向すなわち初期位置から反時計回り方向Ｙ１３へ移動（および初期位置へ復帰）するときには、前記実施形態の場合と同様に、該カムピン６０７１Ｍがカム溝６２１２Ｍに嵌合した状態で反時計回り方向に周回して第２伝達部材６２１Ｍへ動力が伝達され、これにより該第２伝達部材６２１Ｍが右傾する方向（即ち時計回り方向）に回動するが、一方、カムピン６０７１Ｍが第１方向すなわち初期位置から時計回り方向Ｘ１３へ移動（および初期位置へ復帰）するときには、該カムピン６０７１Ｍが開放部６２１３Ｍから外部へ出て第２伝達部材６２１Ｍから離脱し、この後は何物にも包囲されることなく時計回り方向に周回して第２伝達部材６２１Ｍへの動力伝達がなされず、したがって前記実施形態の場合と同様に第２可動体６０４Ｍが初期位置のまま保持される。
【０１３９】
ただし、この構成の場合、前述の通り、カムピン６０７１Ｍが第１方向に移動して第２伝達部材６２１Ｍから離脱すると、動力伝達対象である該第２伝達部材６２１Ｍの動きも規制されなくなるため、例えば該第２伝達部材６２１Ｍが本来動くべきでないときに何らかの外力を受けて誤って動いたりすると、これによって異なる演出パターンがなされたように遊技者が誤解しやすいという問題がある。このため、カムピン６０７１Ｍが第１方向に移動している間に第２伝達部材６２１Ｍが動かないように保持しておく手段を別に設ける必要がある。また、カムピン６０７１Ｍが第１方向すなわち初期位置から時計回り方向Ｘ１３へ移動して初期位置へ復帰する際に、第２伝達部材６２１Ｍが一定以上にずれているとカムピン６０７１Ｍがカム溝６２１２Ｍにちゃんと戻らず逸脱してしまうことともなり、このため本実施形態では、第２伝達部材６２１Ｍが多少ずれてもカム溝６２１２Ｍにちゃんと戻り得るように、開放部６２１３Ｍが両側へ逆「ハ」字形状に次第に拡開していく形状に形成され、これにより、第２伝達部材６２１Ｍが多少ずれてもカムピン６０７１Ｍがカム溝６２１２Ｍ内に案内されて戻ることができるようになっている。しかしながら、この場合にも、例えば第２伝達部材６２１Ｍが多少ずれて、復帰してきたカムピン６０７１Ｍが開放部６２１３Ｍの拡開部に当接したりすると、これによって第２伝達部材６２１Ｍがさらにずれるという問題もある。したがって、こうした観点からは、前記実施形態におけるように非抵触部として逃げ溝を設けるほうが望ましい。
【０１４０】
（３）前記実施形態においては、第１可動体６０４Ｓ、第２可動体６０４Ｍおよび第３可動体６０４Ｌがいずれも、カメが体を起こしたり伏せたりするのを模した回動（揺動）動作をするものとなっていたが、例えば図１８に示すように、可動体が直線運動（往復動作）をするものとしてもよい。同図に示す例においては、カメが頭を手前側に向けているのを模して成形された比較的小型の第１可動体６２２Ｓと、同様の形状（相似形）に成形された比較的大型の第２可動体６２２Ｍとが間隔をおいて上下に配置され、該第１可動体６２２Ｓおよび第２可動体６２２Ｍが、これらの間に配置された駆動機構６２３により駆動される構成となっている。駆動機構６２３は、正逆回転可能なモータ６２４と、該モータ６２４の回転軸に固定されたピニオン６２５と、該ピニオン６２５の上下にそれぞれ連動するように配置された第１ラック６２６Ｓおよび第２ラック６２６Ｍと、第２ラック６２６Ｍに連動するスライド片６２７とを有して構成されている。駆動機構６２３は、鎖線の仮想線で示すように、全面に装飾（図示せず）が施された隠蔽板部材６２８により、前方からは視認し難くなるように前側からほぼ覆われており、また、第１ラック６２６Ｓ、第２ラック６２６Ｍおよびスライド片６２７はそれぞれ左右方向に架設されたレール（図示せず）により左右にスライド自在に支持されている。第１ラック６２６Ｓは、横長に延びる角柱（直方体）状であって下面に歯が形成された構成となっている。第２ラック６２６Ｍは、該第１ラック６２６Ｓと対称な外形から、正面視左下部を矩形状に切欠いた構成となっていて、スライド片６２７は該切欠部に対応する角柱（直方体）状に形成されて該切欠部内に納まるように配置されている。第１ラック６２６Ｓおよびスライド片６２７には第１可動体６２２Ｓおよび第２可動体６２２Ｍがそれぞれ固定されている。
【０１４１】
初期位置においては、図１８に示すように、第２ラック６２６Ｍの切欠部内にスライド片６２７が納まった状態で、第１可動体６２２Ｓ、第２可動体６２２Ｍ、第１ラック６２６Ｓ、第２ラック６２６Ｍおよびスライド片６２７が中央部に寄り合うようにして上下に並ぶ体勢となっている。このとき、スライド片６２７は右方への移動の限界位置にあり、この初期位置より右方へは移動し得ないようになっている。
【０１４２】
初期位置から、図１８の矢印Ｘ２１に示すように、モータ６２４でピニオン６２５を反時計回り方向に回転させると、矢印Ｘ２２に示すように第１ラック６２６Ｓが左方へスライド移動し、これにともない第１可動体６２２Ｓが左方へスライド移動する。一方、矢印Ｘ２３に示すように第２ラック６２６Ｍが右方へスライド移動するが、スライド片６２７は移動せず第２可動体６２２Ｍは初期位置に留まる。
【０１４３】
初期位置から、図１８の矢印Ｙ２１に示すように、ピニオン６２５を時計回り方向に回転させると、矢印Ｙ２２に示すように第１ラック６２６Ｓが右方へスライド移動し、これにともない第１可動体６２２Ｓが右方へスライド移動する。一方、矢印Ｙ２３に示すように第２ラック６２６Ｍがスライド片６２７とともに左方へスライド移動し、これにともない第２可動体６２２Ｍが矢印Ｙ２４に示すように左方へスライド移動する。
【０１４４】
この構成においては、上述の通り、ピニオン６２５を初期位置から図１８の矢印Ｘ２１に示すように反時計回り方向に回転させた場合には、第２ラック６２６Ｍのみが右方へスライド移動してスライド片６２７への動力伝達がなされず、これによりスライド片６２７および第２可動体６２２Ｍが動作の停止、即ち通常動作よりも制限された制限動作を行い、ピニオン６２５を初期位置から図１８の矢印Ｙ２１に示すように時計回り方向に回転させた場合には、第２ラック６２６Ｍからスライド片６２７に動力が伝達されて該スライド片６２７および第２可動体６２２Ｍが左方へスライド動作すなわち通常動作を行うようになっている。このように、第２ラック６２６Ｍの左下の切欠部内に、スライド片６２７が初期位置から左方へのみ移動し得るように配置された構成とすることにより、モータ６２４の駆動範囲内の一部、即ちピニオン６２５を初期位置から反時計回り方向Ｘ２１に回転させる駆動範囲において第２可動体６２２Ｍへの動力伝達を断絶すなわち制限する伝動制限機構が構成されている。
【０１４５】
即ち、本変更態様は、外部から視認し得る位置に演出用の可動装置が設けられた構成において、上記可動装置は、動作し得るよう可動に構成された第２可動体６２２Ｍと、上記第２可動体６２２Ｍを動作させるための動力を発生する駆動源としてモータ６２４とを備え、上記モータ６２４の駆動範囲内の一部、即ちピニオン６２５を初期位置から反時計回り方向Ｘ２１に回転させる駆動範囲において上記第２可動体６２２Ｍへの動力伝達を制限（断絶）する伝動制限機構が設けられた構成となっている。
【０１４６】
上記構成によれば、モータ６２４から第２可動体６２２Ｍへ動力が伝達されて第２可動体６２２Ｍが動作するが、モータ６２４の駆動範囲内の一部、即ちピニオン６２５を初期位置から反時計回り方向Ｘ２１に回転させる駆動範囲においては伝動制限機構により動力伝達が制限（断絶）され、これにともない第２可動体６２２Ｍの動作が制限（断絶）される。したがって、伝動制限機構を設けるだけの簡単な構成により、モータ６２４の駆動範囲において、第２可動体６２２Ｍに通常のスライド動作（通常動作）と、この通常動作よりも制限された、動作の停止すなわち制限動作との両方が行われるようになっており、これにより第２可動体６２２Ｍの動作に効率的に変化が付与されている。
【０１４７】
（４）前記変更態様（１）においては、動力伝達対象である第１伝達部材６０５Ｓが、カムピン６０７１Ｓの初期位置で該カムピン６０７１Ｓが周回する円周に接する接線の方向に延びるカム溝６０５２Ｓを有して該カム溝６０５２Ｓでカムピン６０７１Ｓに嵌合し、該カムピン６０７１Ｓの初期位置と該カムピン６０７１Ｓが周回する円周の中心すなわち第１ギア６０７Ｓの中心とを通る直線上にない位置である当該第１伝達部材６０５Ｓの下端部で第１回動軸６０６Ｓに回動可能に軸支され、これにより、第１の駆動方向すなわち第１ギア６０７Ｓの初期位置から反時計回り方向Ｘ１１への移動（および初期位置への復帰）の方向と、第２の駆動方向すなわち第１ギア６０７Ｓの初期位置から時計回り方向Ｙ１１への移動（および初期位置への復帰）の方向とのそれぞれに対し、第１可動体６０４Ｓが同一方向すなわち反時計回り方向に沿って異なる動作態様（回動量すなわち回動角度）で動作し得るように構成されていたが、このような駆動機構にかえて、例えば図１９に示すような駆動機構６３０としてもよい。
【０１４８】
同図に示す駆動機構６３０は、正逆回転可能なモータ６３１と、該モータ６３１の回転軸に固定されたピニオン６３２と、該ピニオン６３２の上に連動して左右に往復動し得るように配置されたラック６３３と、該ラック６３３に連動するカム従動子６３４とを有して構成されている。ラック６３３の上面には、中央から左上方へ所定角度で傾斜する左側カム面６３３Ｌと、中央から右上方へ左側カム面６３３Ｌの傾斜角度よりも小さい角度で傾斜する右側カム面６３３Ｒとが形成されている。カム従動子６３４は、直線状に延びる棒状の部材であり、ラック６３３の中央の上方に垂直な体勢で上下動自在に支持され、上端にはカメを模した可動体６３５が固定され、下端は丸くかつ平滑に成形されていてラック６３３の上面に摺動自在に当接している。
【０１４９】
初期位置においては、図１９に示すように、ラック６３３の中央がカム従動子６３４の位置にあり、したがってカム従動子６３４が左側カム面６３３Ｌと右側カム面６３３Ｒとの境界すなわち谷の部分にあって該カム従動子６３４および可動体６３５が最も低い位置にある。
【０１５０】
初期位置から、図１９の矢印Ｘ３１に示すように、モータ６３１でピニオン６３２を反時計回り方向に回転させると、矢印Ｘ３２に示すようにラック６３３が左方へスライド移動し、これにともない矢印Ｘ３３に示すようにカム従動子６３４が右側カム面６３３Ｒにより上方へ押し上げられる。
【０１５１】
初期位置から、図１９の矢印Ｙ３１に示すように、ピニオン６３２を時計回り方向に回転させると、矢印Ｙ３２に示すようにラック６３３が右方へスライド移動し、これにともない矢印Ｙ３３に示すようにカム従動子６３４が左側カム面６３３Ｌにより上方へ押し上げられる。
【０１５２】
この構成においては、ピニオン６３２を反時計回り方向に回転させる方向Ｘ３１および時計回り方向に回転させる方向Ｙ３１をそれぞれ第１の駆動方向および第２の駆動方向とすると、第１の駆動方向Ｘ３１における駆動量と第２の駆動方向Ｙ３１における駆動量とを同量としてラック６３３を左方Ｘ３２と右方Ｙ３２とに同量（同距離）だけ移動すなわち対称に移動させた場合、右側カム面６３３Ｒの傾斜角度を左側カム面６３３Ｌの傾斜角度よりも小としているので、矢印Ｘ３３、Ｙ３３の大きさで模式的に示すように、第１の駆動方向Ｘ３１の場合のほうが第２の駆動方向Ｙ３１の場合よりも、カム従動子６３４の移動量は小（非対称）となっている。
【０１５３】
即ち、本変更態様は、外部から視認し得る位置に演出用の可動装置が設けられた構成において、上記可動装置は、動作し得るよう可動に構成された可動体６３５と、上記可動体６３５を動作させるための動力を発生する駆動源としてモータ６３１とを備え、上記モータ６３１から、第１の駆動方向すなわちピニオン６３２の初期位置から反時計回り方向Ｘ３１への移動（および初期位置への復帰）の方向と、該第１の駆動方向とは異なる第２の駆動方向すなわちピニオン６３２の初期位置から時計回り方向Ｙ３１への移動（および初期位置への復帰）の方向との２通りの駆動方向に沿った駆動力が上記可動体６３５へ伝達されることができ、上記第１の駆動方向Ｘ３１と第２の駆動方向Ｙ３１とのそれぞれに対し、上記可動体６３５が、図１９の矢印Ｘ３３およびＹ３３に示すように同一方向すなわち上方に異なる動作態様（移動量すなわち移動距離）で動作し得るように構成されているので、モータ６３１から可動体６３５へ動力が伝達されて可動体６３５が動作するが、第１の駆動方向Ｘ３１に沿った駆動力が伝達されるときと第２の駆動方向Ｙ３１に沿った駆動力が伝達されるときとで、同一方向に沿って異なる動作態様で可動体６３５が動作することで、該可動体６３５の動作に変化が付与されている。このとき、モータ６３１の正逆回転のそれぞれが一定の動作量及び一定の駆動速度であっても、可動体６３５の動作の方向が同一であって動作態様が異なるようにして変化が付与されるので、モータ６３１の正逆回転を単に対称的な駆動としても、可動体６３５は多少の変化をつけながら同様の動作が反復されるようになっており、これにより、可動体６３５の動作に注目を集めることができる効果的な演出が行われるようになっている。また、第１の駆動方向Ｘ３１と第２の駆動方向Ｙ３１とが、モータ６３１の正逆回転を利用して容易に得ることができるとともに、動作態様は右側カム面６３３Ｒの傾斜角度と左側カム面６３３Ｌの傾斜角度とを異なるようにすることにより容易に変化させることができる構成となっており、したがって機構を複雑化させたり大掛かりとしたりすることなく構成されている。
【０１５４】
（５）前記実施形態においては、駆動源として右側モータ６０３Ｒおよび左側モータ６０３Ｌが用いられていたが、モータ以外にもソレノイド等を用いてもよく、特に、上述（３）（４）の変更態様のようにラックないし可動体を直線運動（往復動作）させる構成の場合には、プランジャが直線運動（往復動作）するソレノイド等を好適に使用することができる。
【０１５５】
（６）前記実施形態においては、駆動源である右側モータ６０３Ｒおよび左側モータ６０３Ｌと可動体６０４とに連動するように配置されて上記右側モータ６０３Ｒおよび左側モータ６０３Ｌから動力を可動体６０４に伝達する第１伝達部材６０５Ｓ、第２伝達部材６０５Ｍおよび第３伝達部材６０５Ｌとを備える構成となっていたが、例えば図２０および図２１に示すように、伝達部材６３６の少なくとも一部を単独で着脱自在に構成するようにしてもよい。
【０１５６】
同図に示す第２伝達部材６３６Ｍは、単独で着脱自在に構成されている以外は前記実施形態の第２伝達部材６０５Ｍと同様の構成を有するものとなっている。該第２伝達部材６３６Ｍの下端部には、前後に貫通する軸挿通孔が形成され、該軸挿通孔の下端部が外部と連通するように開裂し、該開裂部の両内側面が対向する方向に（内方へ）山状に突出した係合爪形状となるように成形され、これにより軸受部６３６７Ｍが形成されている。一方、第２可動体６３７Ｍの基体６３７１Ｍは、ピン挿通孔の上端部が外部と連通するように開裂し、該開裂部の両内側面が対向する方向に（内方へ）山状に突出した係合爪形状となるように成形され、これによりピン受部６３７２Ｍが形成されている以外は、前記実施形態における第２可動体６０４Ｍの基体６０４１Ｍと同様の構成を有するものとなっている。該基体６３７１Ｍは、前記実施形態における第２可動体６０４Ｍの基体６０４１Ｍの場合と同様に、軸挿通孔６３７３Ｍで第２回動軸６３８Ｍに回動自在に軸支されるようになっている。第２伝達部材６３６Ｍは、軸受部６３６７Ｍを上方から第２回動軸６３８Ｍに弾性的に係合させ嵌着するとともに、連結ピン６３６１Ｍを上方から基体６３７１Ｍのピン受部６３７２Ｍに弾性的に係合させ嵌着するようにして取り付けられ、これにより、基体６３７１Ｍとともに第２回動軸６３８Ｍに回動自在に支持される。第２伝達部材６３６Ｍには、図２１に示すように、前記実施形態における第２伝達部材６０５Ｍのカム溝６０５２Ｍおよび逃げ溝６０５３Ｍと基本的に同様のカム溝６３６２Ｍおよび逃げ溝６３６３Ｍが形成されている。第２伝達部材６３６Ｍは、軸受部６３６７Ｍを第２回動軸６３８Ｍに弾性的に係合させて容易かつ確実に固定し得るとともに容易に取り外し得、また、特にカムピン６０７１Ｍをカム溝６３６２Ｍないし逃げ溝６３６３Ｍに出入させやすいように全体的に容易に多少変形させる（撓ませる）ことが可能な程度の適度な弾性を有する樹脂で成形されている。
【０１５７】
本変更態様に係る第２伝達部材６３６Ｍは、前記実施形態における第２伝達部材６０５Ｍの場合と同様にして、駆動機構において第２ギア６０７Ｍと第２可動体６３７Ｍとに連動し得るように連結され、前者から後者へ動力を伝達し得るように設置される。一方、図２２に示すように、本変更態様に係る外装部材６３９は、上面壁を別体に構成して一端部（右端部）で前後方向に延びる軸を中心に回動可能に軸支して開閉蓋６３９Ｔとした以外は前記実施形態における外装部材６０１と同様の構成となっている。また、本変更態様においては、一部形状を変更したカム溝６４０２Ｍとした以外は上記第２伝達部材（以下、「正規第２伝達部材」とも称す）６３６Ｍと同様の構成を有する変則第２伝達部材６４０Ｍが用意されるようになっている。図２２に示すように、前記正規第２伝達部材６３６Ｍのカム溝６３６２Ｍが直線状であるのに対し、変則第２伝達部材６４０Ｍのカム溝６４０２Ｍは、上端部（逃げ溝６４０３Ｍとの境界部）から右下方へ延びて逸脱部６４０４Ｍをなし、該逸脱部６４０４Ｍの下端から左下方へ延びて復帰部６４０５Ｍをなして、該復帰部６４０５Ｍの下端から下方へ延びる形状となっており、全体として、上下に直線状に延びる形状における上部が右方へ概略「く」の字と左右対称をなすように屈曲する変則的な形状となるように成形されている。
【０１５８】
本変更態様においては、例えば、遊技機の製造段階では正規第２伝達部材６３６Ｍを組み付けておき、ホールに設置して稼動を開始してから任意の時点で、正規第２伝達部材６３６Ｍを変則第２伝達部材６４０Ｍに付け替えるという使用態様が可能である。このとき、図２２に示すように、開閉蓋６３９Ｔを開放し、正規第２伝達部材６３６Ｍを取り外して変則第２伝達部材６４０Ｍを取り付ければよいが、工具を用いることもなく、また正規第２伝達部材６３６Ｍ以外の部材を取り外したり、開閉蓋６３９Ｔを開放する以外には部材を移動させたりすることもなく、容易かつ簡便に正規第２伝達部材６３６Ｍを変則第２伝達部材６４０Ｍに付け替えることができる。
【０１５９】
変則第２伝達部材６４０Ｍによれば、図２２の矢印Ｙ４３に示すように、第２ギア６０７Ｍのカムピン６０７１Ｍを反時計回り方向に周回させると、該カムピン６０７１Ｍがカム溝６４０２Ｍの逸脱部６４０４Ｍを移動することにより変則第２伝達部材６４０Ｍが左傾する方向（反時計回り方向）にわずかに回動し、続いて該カムピン６０７１Ｍが復帰部６４０５Ｍに到達すると、これ以降は変則第２伝達部材６４０Ｍが反転して初期位置に復帰する方向（時計回り方向）に回動する。この変則第２伝達部材６４０Ｍの動作にともない、第２可動体６３７Ｍが図２２の矢印Ｙ４４に示すように頭を下げる方向（即ち反時計回り方向）にわずかに回動した後、図２２の矢印Ｙ４５に示すように頭を上げる方向（即ち時計回り方向）に回動するように動作する。即ち、直線状のカム溝６３６２Ｍを有する正規第２伝達部材６３６Ｍによれば、前記実施形態の場合と同様に、カムピン６０７１Ｍが初期位置から反時計回り方向Ｙ４３へ周回するのにともなって該正規第２伝達部材６３６Ｍが専ら右傾する方向（即ち時計回り方向）に回動するのみであるのに対し、変則第２伝達部材６４０Ｍによれば、同じ動作範囲において、該変則第２伝達部材６４０Ｍがいったん左傾する方向（反時計回り方向）にわずかに回動してから反転して初期位置に復帰する方向（時計回り方向）に回動していくというように、動作初期に反対方向の回動動作が付加されるという変則動作がなされるようになっている。
【０１６０】
このように、本変更態様によれば、正規第２伝達部材６３６Ｍを変則第２伝達部材６４０Ｍに付け替えるだけで、容易に動作に変更を加えることができ、付け替え作業もいたって容易となっている。
【０１６１】
なお言うまでもなく、正規第２伝達部材６３６Ｍと変則第２伝達部材６４０Ｍとは何時でも何度でも付け替えることができ、さらに、初めに変則第２伝達部材６４０Ｍを取り付けておいて後から正規第２伝達部材６３６Ｍに付け替えるようにするという使用態様も可能である。また、変則第２伝達部材６４０Ｍにかえて、カム溝の形状を例えばＳ字状に蛇行する形状とするといったように任意の形状とすることができ（図示省略）、さらには、カム溝の形状が異なる３以上の第２伝達部材を用意するようにしてもよい。また、本変更態様のように正規第２伝達部材６３６Ｍを容易に着脱可能とする構成ならびに変則第２伝達部材６４０Ｍと容易に交換可能とする構成は、第２伝達部材だけでなく第１伝達部材ないし第３伝達部材に適用してもよい。
【０１６２】
また、第２伝達部材６３６Ｍの全体を単独で着脱自在に構成する以外にも、例えばカム溝の形成部位を含む上部のみを単独で着脱自在に構成するようにしてもよい（図示省略）。
【０１６３】
また、本変更態様の開閉蓋６３９Ｔのように外装部材６３９の一部を開閉可能に構成する以外にも、例えば外装部材の一部（上面壁、背面壁等）に、伝達部材の交換を可能とする開口を設けるようにしてもよい。
【０１６４】
本変更態様は、外部から視認し得る位置に演出用の可動装置が設けられた構成において、上記可動装置は、動作し得るよう可動に構成された第２可動体６３７Ｍと、上記第２可動体６３７Ｍを動作させるための動力を発生する駆動源である右側モータ６０３Ｒと、上記右側モータ６０３Ｒと上記第２可動体６３７Ｍとに連動するように配置されて上記右側モータ６０３Ｒから動力を上記第２可動体６３７Ｍに伝達する第２伝達部材６３６Ｍとを備え、上記第２伝達部材６３６Ｍの全体が単独で着脱自在に構成されたものとなっている。
【０１６５】
上記本変更態様の構成によれば、第２伝達部材６３６Ｍを着脱して別の構成を有する変則第２伝達部材６４０Ｍに容易に変更することができ、これにより第２可動体６３７Ｍへの動力伝達の様態を変更して異なる動作を表現するようにすることができる。したがって、第２伝達部材６３６Ｍ以外の構成をそのまま利用して、即ち、変更箇所を必要最小限として、第２可動体６３７Ｍの動作態様を容易に更新することができる。
【０１６６】
また、上記第２伝達部材６３６Ｍの軸受部６３６７Ｍおよび連結ピン６３６１Ｍが、弾性的に係合することにより着脱自在に構成されているので、該第２伝達部材６３６Ｍをワンタッチ式に容易に着脱することができ、また、係合爪が突起構造物に弾性的に係合する係合構造を用いた簡潔な構造により構成されている。
【０１６７】
また、上記第２伝達部材６３６Ｍの下端部が、第２回動軸６３８Ｍと軸受部６３６７Ｍとにより回動可能に軸支され、該第２回動軸６３８Ｍと軸受部６３６７Ｍとが弾性的に係合することにより着脱自在に構成されているので、第２回動軸６３８Ｍと軸受部６３６７Ｍとの軸支構造を利用して容易に着脱自在な取付構造が構成されている。即ち、軸受部６３６７Ｍに係合爪を設けて該係合爪が第２回動軸６３８Ｍに弾性的に係合する係合構造を用いた簡潔な構造により、容易に着脱自在な取付構造が構成されている。
【０１６８】
（７）前記実施形態においては、第２ギア６０７Ｍのカムピン６０７１Ｍが第２伝達部材６０５Ｍの逃げ溝６０５３Ｍ内を移動する構成とすることにより、右側モータ６０３Ｒの駆動範囲内の一部、即ち第１ギア６０７Ｓを初期位置から反時計回り方向Ｘ１１に回転させる駆動範囲において第２可動体６０４Ｍへの動力伝達を断絶すなわち制限する伝動制限機構が構成されていたが、伝動制限機構としては、駆動源の駆動範囲内の一部、例えばギアを初期位置から一方向に回転させる駆動範囲において該ギアの回転力を低減する適宜な抵抗手段を設け、これにより可動体へ動力を減殺して伝達する構成としてもよい。あるいはまた、例えばギアを初期位置から一方向に回転させる駆動範囲において該ギアの回転を部分的に停止させる適宜な停止手段を設け、これにより可動体へ動力を部分的に限定して伝達する構成としてもよい。
【０１６９】
（８）また、前記実施形態においては、パチンコ機１０が例示されていたが、遊技機としては、パチンコ機以外にも、スロット機、パチンコ機とスロット機を融合させた遊技機も例示される。
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【０１７０】
なお本明細書は、次に掲げる発明をいずれも開示している。
【０１７１】
本発明にかかる遊技機は、手段Ａ１として、
外部から視認し得る位置に演出用の可動装置が設けられた遊技機であって、
前記可動装置は、
動作し得るよう可動に構成された可動体と、
前記可動体を動作させるための動力を発生する駆動源とを備え、
前記駆動源の駆動範囲内の一部において前記可動体への動力伝達を制限する伝動制限機構が設けられていることを特徴とする。
【０１７２】
本発明において、「駆動源」とは、回転運動を発生するか直線運動（往復動）を発生するか、あるいは継続的に動作するか散発的に動作するかといった形式の相違を問わず任意のものを含意し、例えばモータ、ソレノイド等をいずれも含意する。
また、「可動体への動力伝達を制限する」とは、例えば、可動体へ動力を多少とも減殺して伝達すること、可動体へ動力を部分的に限定して伝達すること、可動体への動力伝達を断絶すること、等をいずれも含意する。
【０１７３】
上記手段Ａ１の構成によれば、駆動源から可動体へ動力が伝達されて可動体が動作するが、駆動源の駆動範囲内の一部においては伝動制限機構により動力伝達が制限され、これにともない可動体の動作が制限される。したがって、伝動制限機構を設けるだけの簡単な構成により、駆動源の駆動範囲において、可動体に通常の動作（通常動作）と、この通常動作よりも制限された動作（制限動作）との両方を行わせることができ、これにより可動体の動作に効率的に変化を付与することができる。
【０１７４】
また、本発明にかかる遊技機は、手段Ａ２として、手段Ａ１の遊技機において、
始動口への入球を契機として内部抽選が行われ、この抽選の結果に応じて複数の異なる演出パターンを含んで構成される演出がなされ、
前記複数の演出パターンのうちの特定の演出パターンがなされるときに選択的に前記伝動制限機構が前記可動体への動力伝達を制限するように構成されていることを特徴とする。
【０１７５】
上記手段Ａ２の構成によれば、可動体の通常動作と制限動作とが、抽選の結果に基づく演出パターンの相違に応じて行われることになり、したがって演出が視覚的にさらにわかりやすくなり、演出効果もより良好となる。
【０１７６】
また、本発明にかかる遊技機は、手段Ａ３として、手段Ａ１または手段Ａ２の遊技機において、
前記可動体が、少なくとも第１可動体と第２可動体とを含む複数の可動体より構成され、
前記第１可動体および第２可動体の両者が同一の前記駆動源からの動力により駆動され、
前記駆動源の駆動範囲内の一部において、前記第１可動体および第２可動体のうちの一方のみへの動力伝達が前記伝動制限機構により制限されることを特徴とする。
【０１７７】
上記手段Ａ３の構成によれば、通常動作時には第１可動体および第２可動体の両者が駆動され、駆動源の駆動範囲内の一部においては第１可動体および第２可動体のうちの一方の動作が制限されることとなる。即ち、第１可動体および第２可動体の両者が通常動作をするパターンと、一方が通常動作を、他方が制限動作をそれぞれするパターンと、の２通りの動作パターンで動作が行われることとなる。したがって、可動体の動作にいっそう効果的に変化が付与され、特に上記手段Ａ２の構成を備える場合に、抽選の結果に基づく演出パターンの相違がより効果的に表現される。また、第１可動体および第２可動体の一方に通常動作を、他方に制限動作をそれぞれ行わせるのに、同一の駆動源からの動力を用いるようにしているので、それぞれ別の駆動源を用いる場合に比して構成を簡略化することができる。あるいは換言すれば、それぞれ別の駆動源を用いる場合には第１可動体および第２可動体のそれぞれに個別の動作を行わせるのもごく容易であるのに対し、同一の駆動源の駆動範囲内の一部において、第１可動体および第２可動体の一方のみに選択的に制限動作を行わせる場合には、伝動制限機構を設けるようにした本発明（手段Ａ１）の構成が特に有用となっている。
【０１７８】
また、本発明にかかる遊技機は、手段Ａ４として、手段Ａ１から手段Ａ３のいずれかの遊技機において、
前記伝動制限機構が、動力伝達対象への動力伝達を断絶するようになっていることを特徴とする。
【０１７９】
本発明において、「動力伝達対象」とは、駆動源から可動体へ直接的に動力が伝達される場合には当該可動体を、駆動源から別の部材を介して可動体へ動力が伝達される場合には当該別の部材および可動体の両者を、それぞれ意味し、後者の場合、「動力伝達対象への動力伝達を断絶する」とは、当該別の部材および可動体のうちの少なくとも一方への動力伝達を断絶することを意味する。
【０１８０】
上記手段Ａ４の構成によれば、駆動源の駆動範囲内の一部において動力伝達対象の動作を停止することができ、この場合、動作の停止状態が制限動作に相当する。したがって、通常動作と制限動作とが、通常動作とその停止となって対比がより明確となる。
【０１８１】
また、本発明にかかる遊技機は、手段Ａ５として、手段Ａ４の遊技機において、
前記駆動源からの動力が、該動力により移動する接触子が動力伝達対象の一部に当接することによって伝達され、
前記伝動制限機構が、前記接触子が前記動力伝達対象に抵触しない非抵触部を設けることにより構成されていることを特徴とする。
【０１８２】
上記手段Ａ５の構成によれば、非抵触部を設けることにより、簡単な構成によって動力伝達対象への動力伝達を断絶することが可能な伝動制限機構を得ることができる。
【０１８３】
また、本発明にかかる遊技機は、手段Ａ６として、手段Ａ５の遊技機において、
前記接触子が第１方向と、該第１方向とは異なる第２方向とに移動することができ、
前記動力伝達対象が、前記第１方向および第２方向の一方の方向において前記接触子が内部を移動する、該接触子の幅より僅かに大きい幅で該接触子の移動方向に沿って延びる逃げ溝と、他方の方向において前記接触子が当接する当接部と、が形成されていることを特徴とする。
【０１８４】
上記手段Ａ６の構成によれば、逃げ溝の内部を接触子が移動する間は動力伝達がなされず、したがって、逃げ溝を設けるという簡単な構成により非抵触部を構成することができる。さらにまた、逃げ溝の内部を接触子が移動する間は、逃げ溝の幅方向の動きが接触子により規制されるので、逃げ溝が形成された動力伝達対象が余分な動きをしないように規制されることとなる。このとき、例えば、第１方向および第２方向の一方の側で動力伝達対象を開放し、この一方側では接触子が何ものにも規制されないようにしても非抵触部を構成することができるが、この構成の場合、動力伝達対象の動きも規制されないため、例えば何らかの外力を受けて動力伝達対象が動くこともあり得る。このように動力伝達対象が本来動くべきでないときに誤って動いたりすると、これによって異なる演出パターンがなされたように遊技者が誤解することともなる。そこで、上記手段Ａ６のように、非抵触部において動力伝達対象の動きが規制されるようになっていれば、動力伝達対象の余分な動きによって遊技者に誤解が生じるといった事態を回避することができる。
【０１８５】
また、本発明にかかる遊技機は、手段Ａ７として、手段Ａ４から手段Ａ６のいずれかの遊技機において、
前記動力伝達対象が、回動可能に軸支されるとともにカム溝が形成されたリンクアームを含み、
前記駆動源が正逆回転可能なモータであって、該モータの回転軸に、前記リンクアームのカム溝に嵌合するカムピンが偏心位置に配設されたギアが、直接的に固定または連動するように連結され、
前記ギアのカムピンが、前記リンクアームのカム溝における一方端に嵌合し、該カムピンがカム溝の他方端側へ移動するように前記ギアが回転することで該ギアからリンクアームへ動力が伝達され、
前記リンクアームのカム溝における一方端からは、前記ギアのカムピンの移動軌跡に沿って円弧状にのびる逃げ溝が、前記カム溝に連通するように形成されていることを特徴とする。
【０１８６】
上記手段Ａ７の構成によれば、リンクアームのカム溝における一方端にギアのカムピンが嵌合した初期位置から、該カムピンがカム溝の他方端側へ移動するようにギアが回転すると、該ギアからリンクアームへ動力が伝達されて該リンクアームが回動し、一方、カムピンが初期位置から上記とは反対側へ移動するようにギアが回転すると、該カムピンが逃げ溝に沿って移動してリンクアームへの動力伝達はなされない。即ち、カムピンが初期位置からカム溝内を移動するようにギアが回転すると、駆動源であるモータから動力が伝達されてリンクアームが通常動作として回動し、一方、カムピンが初期位置から逃げ溝内を移動するようにギアが回転すると、リンクアームへの動力伝達が断絶して該リンクアームが停止状態となる。このように、カムピンが初期位置からカム溝内と逃げ溝内とを選択的に移動し得る構成とすることで、駆動源の駆動範囲内の一部において動力伝達対象であるリンクアームへの動力伝達を効果的に制限し得る伝動制限機構が構成される。
【０１８７】
また、本発明にかかる遊技機は、手段Ａ８として、手段Ａ７の遊技機において、
前記可動体とは別の可動体を有し、
前記モータの動力が、該モータの全駆動範囲内において、前記ギア、前記ギアとは別のギアまたはこれら両者を介して、前記別の可動体へ伝達されることを特徴とする。
【０１８８】
上記手段Ａ８の構成によれば、モータの全駆動範囲内において別の可動体が動作を行うので、前記可動体および別の可動体の両者が通常動作をするパターンと、一方が通常動作を、他方が制限動作をそれぞれするパターンと、の２通りの動作パターンで動作が行われることとなる。したがって、可動体の動作にいっそう効果的に変化が付与される。また、両可動体のうちの一方に通常動作を、他方に制限動作をそれぞれ行わせるのに、同一のモータからの動力を用いるようにしているので、それぞれ別の駆動源を用いる場合に比して構成を簡略化することができる。換言すれば、同一のモータの駆動範囲内の一部において、両可動体のうちの一方のみに選択的に制限動作を行わせるようになっているので、伝動制限機構を設けるようにした本発明（手段Ａ１）の構成が特に有用となっている。さらにまた、同一のモータからの動力を、１つまたは２つのギアを介して両可動体へ伝達するようになっているので、簡略な構成により伝達機構が構成され、特に共通の１つのギアのみを用いる場合には部品点数もより少なくて済む。
【０１８９】
また、本発明にかかる遊技機は、手段Ｂ１として、
外部から視認し得る位置に演出用の可動装置が設けられた遊技機であって、
前記可動装置は、
動作し得るよう可動に構成された可動体と、
前記可動体を動作させるための動力を発生する駆動源とを備え、
前記駆動源から、第１の駆動方向と、該第１の駆動方向とは異なる第２の駆動方向との２通りの駆動方向に沿った駆動力が前記可動体へ伝達されることができ、
前記第１の駆動方向と第２の駆動方向とのそれぞれに対し、前記可動体が、同一方向に沿って異なる動作態様で動作し得るように構成されていることを特徴とする。
【０１９０】
本発明において、「駆動源」とは、回転運動を発生するか直線運動（往復動）を発生するか、あるいは継続的に動作するか散発的に動作するかといった形式の相違を問わず任意のものを含意し、例えばモータ、ソレノイド等をいずれも含意する。
また、「同一方向に沿って異なる動作態様で動作する」という場合の「方向」とは、例えば、回転運動の場合であれば正逆いずれかの回転方向を、直線運動の場合であれば同一直線上における一方および他方のいずれかの方向を、それぞれ意味し、また「動作態様」とは、動作速度、動作量（回転角度、移動距離等）、断続動作の場合の動作間隔、等をいずれも含意する。
【０１９１】
上記手段Ｂ１の構成によれば、駆動源から可動体へ動力が伝達されて可動体が動作するが、第１の駆動方向に沿った駆動力が伝達されるときと第２の駆動方向に沿った駆動力が伝達されるときとで、同一方向に沿って異なる動作態様で可動体が動作することで、該可動体の動作に変化が付与される。このとき、動作の方向が同一であって動作態様が異なるようにして変化が付与されるので、多少の変化をつけながら同様の動作が反復されることとなり、これにより、興趣が徐々に高じていくような効果的な演出を行うことができる。また、第１の駆動方向と第２の駆動方向とは、例えばモータの正逆回転やソレノイドの往復動作等を利用して容易に得ることができるとともに、動作態様は動作量や動作速度等を異なるようにすることにより容易に変化させることができ、したがって機構を複雑化させたり大掛かりとしたりすることもない。
【０１９２】
また、本発明にかかる遊技機は、手段Ｂ２として、手段Ｂ１の遊技機において、
前記駆動源が正逆回転可能なモータであって、
前記モータにより回転駆動されて所定の円周上を正逆方向に周回し得るカムピンを有し、
動力伝達対象が、前記カムピンの初期位置で該カムピンが周回する円周に接する接線の方向に延びるカム溝を有して該カム溝で前記カムピンに嵌合し、該カムピンの初期位置と該カムピンが周回する円周の中心とを通る直線上にない位置で回動可能に軸支されていることを特徴とする。
【０１９３】
本発明において、「動力伝達対象」とは、駆動源から可動体へ直接的に動力が伝達される場合には当該可動体を、駆動源から別の部材を介して可動体へ動力が伝達される場合には当該別の部材および可動体の両者を、それぞれ意味する。
【０１９４】
上記手段Ｂ２の構成によれば、カムピンが初期位置から移動すると、これにともなってカム機構により動力伝達対象が移動するが、このときカム溝は、カムピンの初期位置で該カムピンの周回軌道である円周に接する接線の方向に延びるものとなっているので、カムピンが正逆いずれの方向に移動しても、動力伝達対象はカムピンの初期位置からカムピンの周回軌道である円周の中心の側へ引き寄せられ、したがって同一方向に回動することとなる。さらにこのとき、カムピンの周回軌道である円周の中心と、カムピンの初期位置と、動力伝達対象の回動中心とは同一直線上にないから、例えばカムピンが初期位置から正逆いずれの方向にも同量（同角度）移動する、即ち対称に移動するとしても、このカムピンの両方向への移動にそれぞれ連動する動力伝達対象の回動は同量（同角度）とはならず多少ともずれる、即ち非対称となる。したがって、動力伝達対象が同一方向に沿って異なる動作態様で動作する機構を簡潔な構成により実現することができる。
【０１９５】
また、本発明にかかる遊技機は、手段Ｃ１として、
外部から視認し得る位置に演出用の可動装置が設けられた遊技機であって、
前記可動装置は、
動作し得るよう可動に構成された可動体と、
前記可動体を動作させるための動力を発生する駆動源と、
前記駆動源と前記可動体とに連動するように配置されて前記駆動源から動力を前記可動体に伝達する伝達部材とを備え、
前記伝達部材の少なくとも一部が単独で着脱自在に構成されていることを特徴とする。
【０１９６】
本発明において、「駆動源」とは、回転運動を発生するか直線運動（往復動）を発生するか、あるいは継続的に動作するか散発的に動作するかといった形式の相違を問わず任意のものを含意し、例えばモータ、ソレノイド等をいずれも含意する。
また、「単独で着脱する」とは、周囲の部材を取り外したりすること（ただし、周囲の部材を一時的に移動すること等は除く）を要することなく、それ自体のみで着脱することを意味する。
また、「着脱自在に構成されている」とは、ネジ固定や溶着等を用いずに取り付けられ、工具を用いることなく容易に着脱し得るように構成されていることを意味する。
【０１９７】
上記手段Ｃ１の構成によれば、伝達部材の少なくとも一部を着脱して別の構成を有する伝達部材に容易に変更することができ、これにより可動体への動力伝達の様態を変更して異なる動作を表現するようにすることができる。したがって、伝達部材以外の構成をそのまま利用して、即ち、変更箇所を必要最小限として、可動体の動作態様を容易に更新することができる。
【０１９８】
また、本発明にかかる遊技機は、手段Ｃ２として、手段Ｃ１の遊技機において、
前記伝達部材の少なくとも一部が、弾性的に係合することにより着脱自在に構成されていることを特徴とする。
【０１９９】
上記手段Ｃ２の構成によれば、伝達部材の少なくとも一部をワンタッチ式に容易に着脱することができ、また、係合爪が突起構造物に弾性的に係合する係合構造のような簡潔な構造により構成することができる。
【０２００】
また、本発明にかかる遊技機は、手段Ｃ３として、手段Ｃ２の遊技機において、
前記伝達部材の少なくとも一部が、回動軸と軸受部とにより回動可能に軸支され、該回動軸と軸受部とが弾性的に係合することにより着脱自在に構成されていることを特徴とする。
【０２０１】
上記手段Ｃ３の構成によれば、回動軸と軸受部との軸支構造を利用して容易に着脱自在な取付構造を構成することができる。即ち、軸受部に係合爪を設けて該係合爪が回動軸に弾性的に係合する係合構造のような簡潔な構造により、容易に着脱自在な取付構造を構成することができる。
【０２０２】
また、本発明にかかる遊技機は、手段Ｄ１として、手段Ａ１から手段Ａ８、手段Ｂ１および手段Ｂ２ならびに手段Ｃ１から手段Ｃ３のいずれかの遊技機において、
遊技機がパチンコ機であることを特徴とする。
【０２０３】
パチンコ機の基本構成としては、操作ハンドルを備え、その操作ハンドルの操作に応じて有価物体の一例である球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カード書き込まれるデータ等も含む）が付与されるものが挙げられる。
【０２０４】
手段Ａ１から手段Ａ８のいずれかの構成を有するパチンコ機にあっては、可動装置に伝動制限機構を設けたことによって、特に機構を複雑化することもなく、可動装置における可動体の動作に効率的に変化を付与することが可能なパチンコ機が得られる。
また、手段Ｂ１または手段Ｂ２の構成を有するパチンコ機にあっては、第１の駆動方向と第２の駆動方向とのそれぞれに対して可動体が同一方向に沿って異なる動作態様で動作し得る構成としたことによって、特に機構を複雑化することもなく、可動装置における可動体の動作に効果的に変化を付与することが可能なパチンコ機が得られる。
また、手段Ｃ１から手段Ｃ３のいずれかの構成を有するパチンコ機にあっては、伝達部材の少なくとも一部を単独で着脱自在に構成したことによって、可動装置における可動体の動作を容易かつ簡便に変更することが可能なパチンコ機が得られる。
【０２０５】
また、本発明にかかる遊技機は、手段Ｄ２として、手段Ａ１から手段Ａ８、手段Ｂ１および手段Ｂ２ならびに手段Ｃ１から手段Ｃ３のいずれかの遊技機において、
遊技機がスロット機であることを特徴とする。
【０２０６】
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
【０２０７】
手段Ａ１から手段Ａ８のいずれかの構成を有するスロット機にあっては、可動装置に伝動制限機構を設けたことによって、特に機構を複雑化することもなく、可動装置における可動体の動作に効率的に変化を付与することが可能なスロット機が得られる。
また、手段Ｂ１または手段Ｂ２の構成を有するスロット機にあっては、第１の駆動方向と第２の駆動方向とのそれぞれに対して可動体が同一方向に沿って異なる動作態様で動作し得る構成としたことによって、特に機構を複雑化することもなく、可動装置における可動体の動作に効果的に変化を付与することが可能なスロット機が得られる。
また、手段Ｃ１から手段Ｃ３のいずれかの構成を有するスロット機にあっては、伝達部材の少なくとも一部を単独で着脱自在に構成したことによって、可動装置における可動体の動作を容易かつ簡便に変更することが可能なスロット機が得られる。
【０２０８】
また、本発明にかかる遊技機は、手段Ｄ３として、手段Ａ１から手段Ａ８、手段Ｂ１および手段Ｂ２ならびに手段Ｃ１から手段Ｃ３のいずれかの遊技機において、
遊技機がパチンコ機とスロット機を融合させた遊技機であることを特徴とする。
【０２０９】
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【０２１０】
手段Ａ１から手段Ａ８のいずれかの構成を有するパチンコ機とスロット機を融合させた遊技機にあっては、可動装置に伝動制限機構を設けたことによって、特に機構を複雑化することもなく、可動装置における可動体の動作に効率的に変化を付与することが可能な、パチンコ機とスロット機を融合させた遊技機が得られる。
また、手段Ｂ１または手段Ｂ２の構成を有するパチンコ機とスロット機を融合させた遊技機にあっては、第１の駆動方向と第２の駆動方向とのそれぞれに対して可動体が同一方向に沿って異なる動作態様で動作し得る構成としたことによって、特に機構を複雑化することもなく、可動装置における可動体の動作に効果的に変化を付与することが可能な、パチンコ機とスロット機を融合させた遊技機が得られる。
また、手段Ｃ１から手段Ｃ３のいずれかの構成を有するパチンコ機とスロット機を融合させた遊技機にあっては、伝達部材の少なくとも一部を単独で着脱自在に構成したことによって、可動装置における可動体の動作を容易かつ簡便に変更することが可能な、パチンコ機とスロット機を融合させた遊技機が得られる。
【産業上の利用可能性】
【０２１１】
本発明は、パチンコ機等の遊技機に好適に実施することが可能である。
【符号の説明】
【０２１２】
６０３Ｒ：右側モータ（駆動源）
６０４Ｍ：第２可動体
６０７Ｓ：第１ギア
Ｘ１１：反時計回り方向
【図１】
0005862849.tif 000002
【図２】
0005862849.tif 000003
【図３】
0005862849.tif 000004
【図４】
0005862849.tif 000005
【図５】
0005862849.tif 000006
【図６】
0005862849.tif 000007
【図７】
0005862849.tif 000008
【図８】
0005862849.tif 000009
【図９】
0005862849.tif 000010
【図１０】
0005862849.tif 000011
【図１１】
0005862849.tif 000012
【図１２】
0005862849.tif 000013
【図１３】
0005862849.tif 000014
【図１４】
0005862849.tif 000015
【図１５】
0005862849.tif 000016
【図１６】
0005862849.tif 000017
【図１７】
0005862849.tif 000018
【図１８】
0005862849.tif 000019
【図１９】
0005862849.tif 000020
【図２０】
0005862849.tif 000021
【図２１】
0005862849.tif 000022
【図２２】
0005862849.tif 000023